(57)【要約】【課題】操作部の複数のキーを異なる発光色で発光させることにより、キーバックライト点灯時の発光色によりキー識別、キー操作の効率を向上を図る。【解決手段】制御部１は発着信時、メールモード時にキー対応発光色設定メモリ６−２からすべてのキー番号に対応して記憶されている異なる発光色の色彩データを読み出しキーバックライト４の３色ＬＥＤ４−１〜４−１２を発光させ、アプリケーション機能起動時には機能対応発光色制御テーブル６−３から有効キーと無効キーそれぞれに対応して記憶されている発光色とその色彩データを読み出し有効キーおよび無効キーに対応するキーバックライトの３色ＬＥＤを異なる発光色で発光させる。【選択図】      図１
2005134998.tif 000002
【特許請求の範囲】
【請求項１】
複数の操作キーを備え、前記複数の操作キーを個々に照射するキーバックライトを有する電子機器において、前記キーバックライトを個々に制御し、前記複数の操作キーを個々に異なる発光色で照射する制御手段を有することを特徴とするキーバックライトの制御方式。
【請求項２】
前記複数の操作キーを個々に照射するキーバックライトの発光色は、ユーザが任意に設定可能なことを特徴とする請求項１記載のキーバックライトの制御方式。
【請求項３】
前記ユーザによる前記複数の操作キーを個々に照射するキーバックライトの発光色の設定は、発光色制御テーブルを基に前記ユーザの所定の操作によりキー対応発光色設定メモリに記憶することを特徴とする請求項２記載のキーバックライトの制御方式。
【請求項４】
前記発光色制御テーブルは、複数の発光色個々に対応して発光色識別情報と、発光色の色彩データが予め登録されていることを特徴とする請求項３記載のキーバックライトの制御方式。
【請求項５】
前記複数の操作キー個々に異なるキー番号を付与し、前記キー対応発光色設定メモリは、前記キー番号に対応して発光色と、発光色の色彩データを記憶することを特徴とする請求項３記載のキーバックライトの制御方式。
【請求項６】
前記前記複数の操作キーを個々に照射するキーバックライトの発光色は、前記キー対応発光色設定メモリに記憶されている前記色彩データを基に前記制御手段が発光制御することを特徴とする請求項１乃至５記載のキーバックライトの制御方式。
【請求項７】
複数の操作キーを備え、前記複数の操作キーを個々に照射するキーバックライトを有する電子機器において、前記キーバックライトを個々に制御し、アプリケーション機能モードの操作時に使用する有効キーと操作時に使用しない無効キーを異なる発光色で照射する制御手段を有することを特徴とするキーバックライトの制御方式。
【請求項８】
前記アプリケーション機能モードの操作時に使用する１つまたは複数の有効キーと操作時に使用しない１つまたは複数の無効キーを個々に照射するキーバックライトの発光色は、ユーザが任意に設定可能なことを特徴とする請求項７記載のキーバックライトの制御方式。
【請求項９】
前記アプリケーション機能モードの操作時に使用する１つまたは複数の有効キーと操作時に使用しない１つまたは複数の無効キーを個々に照射するキーバックライトの発光色は、発光色制御テーブルを基に前記ユーザの所定の操作により機能対応発光色制御テーブルに記憶することを特徴とする請求項８記載のキーバックライトの制御方式。
【請求項１０】
前記発光色制御テーブルは、複数の発光色個々に対応して発光色識別情報と、発光色の色彩データが予め登録されていることを特徴とする請求項９記載のキーバックライトの制御方式。
【請求項１１】
前記複数の操作キー個々に異なるキー番号を付与し、前記機能対応発光色制御テーブルは、機能毎に、前記キー番号に対応して有効キーと無効キーを区別するためのキー識別符号と、発光色識別符号と、発光色の色彩データが記憶されていることを特徴とする請求項９記載のキーバックライトの制御方式。
【請求項１２】
前記１つまた複数の有効キーと前記１つまたは複数の無効キーを個々に照射するキーバックライトの発光色は、前記機能対応発光色制御テーブルに記憶されている色彩データを基に前記制御手段が発光制御することを特徴とする請求項７乃至１１記載のキーバックライトの制御方式。
【請求項１３】
前記電子機器は、携帯電話機であることを特徴とする請求項１、７記載のキーバックライトの制御方式。
【請求項１４】
前記携帯電話機は、前記複数の操作キーを備える操作部と、種々情報を表示する表示部と、前記操作部の複数の操作キー個々に対応する３色ＬＥＤを有するキーバックライトと、前記３色ＬＥＤ個々に対応し配設され前記３色ＬＥＤを異なる発光色で点灯するための色彩制御部と、前記キーバックライトを照射するための複数の異なる発光色と前記発光色に対応する色彩データを予め登録しておく発光色制御テーブルおよび前記複数の操作キー個々に対し任意の発光色を設定するためのキー対応発光色設定メモリと、複数のアプリケーション機能モードの操作時に使用する有効キーと操作時に使用しない無効キーを異なる発光色で発光させるための機能対応発光色制御テーブルを備える記憶部と、前記キー対応発光色設定メモリおよび機能対応発光色制御テーブルの記憶内容に基づき前記色彩制御部を制御して前記３色ＬＥＤの点灯を制御するＣＰＵを含む制御部とを有することを特徴とする請求項１３記載のキーバックライトの制御方式。
【請求項１５】
前記制御部はイベント発生を監視し着信および前記アプリケーション機能モード要求以外のキー押下情報を検出したとき、前記キー対応発光色設定メモリから前記操作部のすべてのキー番号とキー番号対応に記憶されている色彩データを順次読み出し前記キー番号に対応する前記色彩制御部へ転送し、すべてのキー番号対応の前記色彩データの転送終了を検出したき前記色彩制御部へバックライトの点灯を指示するバックライト点灯指示情報を送信することを特徴とする請求項１４記載のキーバックライトの制御方式。
【請求項１６】
前記色彩制御部は前記制御部から順次受信した前記キー番号とキー番号対応の色彩データを一時蓄積し、前記バックライト点灯指示情報を受信したとき前記一時蓄積しておいた前記色彩データをそれぞれ対応する前記３色ＬＥＤへ送信し前記３色ＬＥＤを発光させることを特徴とする請求項１４、１５記載のキーバックライトの制御方式。
【請求項１７】
前記制御部は前記アプリケーション機能モードの起動要求を検出したとき、前記機能対応発光色制御テーブルを検索し、前記検出したアプリケーション機能に対応して記憶されている有効キーおよび無効キーの識別符号を基に前記操作部のすべてのキーに対し有効キー、無効キーを識別し、識別した各有効キーおよび各無効キーに対応するキー番号、発光色識別情報および色彩データを前記機能対応発光色制御テーブルから順次読み出し前記キー番号に対応する前記色彩制御部へ転送し、すべてのキー番号対応の前記発光色識別情報および前記色彩データの転送終了を検出したき前記色彩制御部へバックライトの点灯を指示するバックライト点灯指示情報を送信することを特徴とする請求項１４、１５記載のキーバックライトの制御方式。
【請求項１８】
前記色彩制御部は前記制御部から順次受信した前記キー番号、キー番号に対応する発光色識別情報および色彩データを一時蓄積し、前記バックライト点灯指示情報を受信したと前記一時蓄積しておいた前記色彩データをそれぞれ対応する前記３色ＬＥＤへ送信し前記３色ＬＥＤを発光させることを特徴とする請求項１４、１７記載のキーバックライトの制御方式。
【請求項１９】
前記アプリケーション機能モード要求以外のキー押下情報は、発信、メール入力であることを特徴とする請求項１５記載のキーバックライトの制御方式。
【請求項２０】
前記アプリケーション機能はゲーム機能、ストップウォッチ機能、電卓機能、目覚まし／アラーム機能、バーコード読み取り機能、カメラ撮像機能であることを特徴とする請求項７、１４記載のキーバックライトの制御方式。
【請求項２１】
複数の操作キーを備え、前記複数の操作キーを個々に照射するキーバックライトを有する電子機器において、前記キーバックライトを個々に制御し、前記複数の操作キーを個々に異なる発光輝度で照射する制御手段を有することを特徴とするキーバックライトの制御方式。
【請求項２２】
前記複数の操作キーを個々に照射するキーバックライトの発光輝度は、ユーザが任意に設定可能なことを特徴とする請求項２１記載のキーバックライトの制御方式。
【請求項２３】
前記ユーザによる前記複数の操作キーを個々に照射するキーバックライトの発光輝度の設定は、発光輝度制御テーブルを基に前記ユーザの所定の操作によりキー対応発光輝度設定メモリに記憶することを特徴とする請求項２２記載のキーバックライトの制御方式。
【請求項２４】
前記発光輝度制御テーブルは、複数の発光色個々に対応して発光色識別情報と、発光色の輝度データが予め記憶されていることを特徴とする請求項２３記載のキーバックライトの制御方式。
【請求項２５】
前記輝度データは所定の輝度範囲を最大輝度値から最小輝度値まで所定のステップで分割され、且つ前記複数のキーすべてに対し個々に異なる前記ステップの輝度強度データが記憶されていることを特徴とする請求項２４記載のキーバックライトの制御方式。
【請求項２６】
前記複数のキー個々に対する発光色および前記輝度強度データの登録はユーザが任意に設定可能であることを特徴とする請求項２４、２５記載のキーバックライトの制御方式。
【請求項２７】
前記複数の操作キー個々に異なるキー番号を付与し、前記キー対応発光輝度設定メモリは、前記キー番号に対応して発光色と、発光色個々に対し異なる前記ステップの輝度強度データを記憶することを特徴とする請求項２５記載のキーバックライトの制御方式。
【請求項２８】
前記複数の操作キーを個々に照射するキーバックライトの発光輝度は、キー対応発光輝度設定メモリに記憶されている前記輝度データを基に前記制御手段が輝度制御することを特徴とする請求項２１乃至２７記載のキーバックライトの制御方式。
【請求項２９】
複数の操作キーを備え、前記複数の操作キーを個々に照射するキーバックライトを有する電子機器において、前記キーバックライトを個々に制御し、アプリケーション機能モードの操作時に使用する有効キーと操作時に使用しない無効キーを異なる発光輝度で照射する制御手段を有することを特徴とするキーバックライトの制御方式。
【請求項３０】
前記アプリケーション機能モードの操作時に使用する１つまたは複数の有効キーと操作時に使用しない１つまたは複数の無効キーを個々に照射するキーバックライトの発光輝度は、ユーザが任意に設定可能なことを特徴とする請求項２９記載のキーバックライトの制御方式。
【請求項３１】
前記アプリケーション機能モードの操作時に使用する１つまたは複数の有効キーと操作時に使用しない１つまたは複数の無効キーを個々に照射するキーバックライトの発光輝度は、発光輝度制御テーブルを基に前記ユーザの所定の操作により機能対応発光輝度制御テーブルに記憶することを特徴とする請求項３０記載のキーバックライトの制御方式。
【請求項３２】
前記発光輝度制御テーブルは、複数の発光色個々に対応して発光色識別情報と、発光色の輝度データが予め登録されていることを特徴とする請求項３１記載のキーバックライトの制御方式。
【請求項３３】
前記複数の操作キー個々に異なるキー番号を付与し、前記機能対応発光輝度制御テーブルは、機能毎に、前記キー番号に対応して有効キーと無効キーを区別するためのキー識別符号と、発光色識別符号と、発光色の輝度データが記憶されていることを特徴とする請求項３１記載のキーバックライトの制御方式。
【請求項３４】
前記１つまた複数の有効キーと前記１つまたは複数の無効キーを個々に照射するキーバックライトの発光輝度は、前記機能対応発光色制御テーブルに記憶されている輝度データを基に前記制御手段が輝度制御することを特徴とする請求項２１乃至３３記載のキーバックライトの制御方式。
【請求項３５】
前記電子機器は、携帯電話機であることを特徴とする請求項２１、２９記載のキーバックライトの制御方式。
【請求項３６】
前記携帯電話機は、前記複数の操作キーを備える操作部と、種々情報を表示する表示部と、前記操作部の複数の操作キー個々に対応する３色ＬＥＤを有するキーバックライトと、前記３色ＬＥＤ個々に対し配設され前記３色ＬＥＤを異なる輝度で点灯するための発光輝度制御部と、前記キーバックライトを照射するための複数の異なる発光色と前記発光色に対応する輝度データを予め登録しておく発光輝度制御テーブルおよび前記複数の操作キー個々に対し任意の発光輝度を設定するためのキー対応発光輝度設定メモリと、複数のアプリケーション機能モードの操作時に使用する有効キーと操作時に使用しない無効キーを異なる発光輝度で発光させるための機能対応発光輝度制御テーブルを備える記憶部と、前記キー対応発光輝度設定メモリおよび前記機能対応発光輝度制御テーブルの記憶内容に基づき前記発光輝度制御部を制御して前記３色ＬＥＤの点灯を制御するＣＰＵを含む制御部とを有することを特徴とする請求項３５記載のキーバックライトの制御方式。
【請求項３７】
前記制御部はイベント発生を監視し着信および前記アプリケーション機能モード要求以外のキー押下情報を検出したとき、前記キー対応発光輝度設定メモリから前記操作部のすべてのキー番号とキー番号対応に記憶されている輝度データを順次読み出し前記キー番号に対応する前記発光輝度制御部へ転送し、すべてのキー番号対応の前記輝度データの転送終了を検出したき前記発光輝度制御部へバックライトの点灯を指示するバックライト点灯指示情報を送信することを特徴とする請求項３６記載のキーバックライトの制御方式。
【請求項３８】
前記発光輝度制御部は前記制御部から順次受信した前記キー番号とキー番号対応の輝度データを一時蓄積し、前記バックライト点灯指示情報を受信したとき前記一時蓄積しておいた前記輝度データをそれぞれ対応する前記３色ＬＥＤへ送信し前記３色ＬＥＤを発光させることを特徴とする請求項３６、３７記載のキーバックライトの制御方式。
【請求項３９】
前記制御部は前記アプリケーション機能モードの起動要求を検出したとき、前記機能対応発光輝度制御テーブルを検索し、前記検出したアプリケーション機能に対応して記憶されている有効キーおよび無効キーの識別符号を基に前記操作部のすべてのキーに対し有効キー、無効キーを識別し、識別した各有効キーおよび各無効キーに対応するキー番号、発光色識別情報および輝度データを前記機能対応発光輝度制御テーブルから順次読み出し前記キー番号に対応する前記発光輝度制御部へ転送し、すべてのキー番号対応の前記発光色識別情報および前記輝度データの転送終了を検出したき前記発光輝度制御部へバックライトの点灯を指示するバックライト点灯指示情報を送信することを特徴とする請求項３７、３８記載のキーバックライトの制御方式。
【請求項４０】
前記発光輝度制御部は前記制御部から順次受信した前記キー番号、キー番号に対応する発光色識別情報および輝度データを一時蓄積し、前記バックライト点灯指示情報を受信したとき前記一時蓄積しておいた前記輝度データをそれぞれ対応する前記３色ＬＥＤへ送信し前記３色ＬＥＤを発光させることを特徴とする請求項３６、３９記載のキーバックライトの制御方式。
【請求項４１】
前記アプリケーション機能モード要求以外のキー押下情報は、発信、メール入力であることを特徴とする請求項３７記載のキーバックライトの制御方式。
【請求項４２】
前記アプリケーション機能はゲーム機能、ストップウォッチ機能、電卓機能、目覚まし／アラーム機能、バーコード読み取り機能、カメラ撮像機能であることを特徴とする請求項２９、３６記載のキーバックライトの制御方式。
【請求項４３】
複数の操作キーを備え、前記複数の操作キーを個々に照射するキーバックライトを有する電子機器において、前記キーバックライトを個々に制御し、前記複数の操作キーを個々に異なる発光パターンで照射する制御手段を有することを特徴とするキーバックライトの制御方式。
【請求項４４】
前記複数の操作キーを個々に照射するキーバックライトの発光パターンは、ユーザが任意に設定可能なことを特徴とする請求項４３記載のキーバックライトの制御方式。
【請求項４５】
前記ユーザによる前記複数の操作キーを個々に照射するキーバックライトの発光パターンの設定は、発光パターン制御テーブルを基に前記ユーザの所定の操作によりキー対応発光パターン設定メモリに記憶することを特徴とする請求項４４記載のキーバックライトの制御方式。
【請求項４６】
前記発光パターン制御テーブルは、複数の発光色個々に対応して発光色識別情報と、発光色の発光パターンデータが予め記憶されていることを特徴とする請求項４５記載のキーバックライトの制御方式。
【請求項４７】
前記発光パターンデータは所定の周期期間を最大発光周期値から最小発光周期値まで所定のステップで分割され、且つ前記複数のキーすべてに対し個々に異なる前記ステップの発光周期データが登録されていることを特徴とする請求項４６記載のキーバックライトの制御方式。
【請求項４８】
前記複数のキー個々に対する発光色および前記発光周期データの登録はユーザが任意に設定可能であることを特徴とする請求項４６、４７記載のキーバックライトの制御方式。
【請求項４９】
前記複数の操作キー個々に異なるキー番号を付与し、前記キー対応発光パターン設定メモリは、前記キー番号に対応して発光色と、発光色個々に対し異なる前記ステップの発光周期データを記憶することを特徴とする請求項４７記載のキーバックライトの制御方式。
【請求項５０】
前記複数の操作キーを個々に照射するキーバックライトの発光パターンは、前記キー対応発光パターン設定メモリに記憶されている前記発光パターンデータを基に前記制御手段が発光パターン制御することを特徴とする請求項４３乃至４９記載のキーバックライトの制御方式。
【請求項５１】
複数の操作キーを備え、前記複数の操作キーを個々に照射するキーバックライトを有する電子機器において、前記キーバックライトを個々に制御し、アプリケーション機能モードの操作時に使用する有効キーと操作時に使用しない無効キーを異なる発光パターンで照射する制御手段を有することを特徴とするキーバックライトの制御方式。
【請求項５２】
前記アプリケーション機能モードの操作時に使用する１つまたは複数の有効キーと操作時に使用しない１つまたは複数の無効キーを個々に照射するキーバックライトの発光パターンは、ユーザが任意に設定可能なことを特徴とする請求項５１記載のキーバックライトの制御方式。
【請求項５３】
前記アプリケーション機能モードの操作時に使用する１つまたは複数の有効キーと操作時に使用しない１つまたは複数の無効キーを個々に照射するキーバックライトの発光パターンは、発光パターン制御テーブルを基に前記ユーザの所定の操作により機能対応発光輝度制御テーブルに記憶することを特徴とする請求項５２記載のキーバックライトの制御方式。
【請求項５４】
前記発光パターン制御テーブルは、複数の発光色個々に対応して発光色識別情報と、発光色の発光パターンデータが予め登録されていることを特徴とする請求項５３記載のキーバックライトの制御方式。
【請求項５５】
前記複数の操作キー個々に異なるキー番号を付与し、前記機能対応発光パターン制御テーブルは、機能毎に、前記キー番号に対応して有効キーと無効キーを区別するためのキー識別符号と、発光色識別符号と、発光色の発光パターンデータが記憶されていることを特徴とする請求項５３記載のキーバックライトの制御方式。
【請求項５６】
前記１つまた複数の有効キーと前記１つまたは複数の無効キーを個々に照射するキーバックライトの発光パターンは、前記機能対応発光パターン制御テーブルに記憶されている発光パターンデータを基に前記制御手段がパターン制御することを特徴とする請求項４３乃至５５記載のキーバックライトの制御方式。
【請求項５７】
前記電子機器は、携帯電話機であることを特徴とする請求項４３、５１記載のキーバックライトの制御方式。
【請求項５８】
前記携帯電話機は、前記複数の操作キーを備える操作部と、種々情報を表示する表示部と、前記操作部の複数の操作キー個々に対応する３色ＬＥＤを有するキーバックライトと、前記３色ＬＥＤ個々に対し配設された前記３色ＬＥＤを異なる周期で点灯するための発光パターン制御部と、前記キーバックライトを照射するための複数の異なる発光色と前記発光色に対応する発光パターンデータを予め登録しておく発光パターン制御テーブルおよび前記複数の操作キー個々に対し任意の発光パターンを設定するためのキー対応発光パターン設定メモリと、複数のアプリケーション機能モードの操作時に使用する有効キーと操作時に使用しない無効キーを異なる発光パターンで発光させるための機能対応発光パターン制御テーブルを備える記憶部と、前記キー対応発光パターン設定メモリおよび前記機能対応発光パターン制御テーブルの記憶内容に基づき前記発光パターン制御部を制御して前記３色ＬＥＤの点灯を制御するＣＰＵを含む制御部とを有することを特徴とする請求項５７記載のキーバックライトの制御方式。
【請求項５９】
前記制御部はイベント発生を監視し着信および前記アプリケーション機能モード要求以外のキー押下情報を検出したとき、前記キー対応発光パターン設定メモリから前記操作部のすべてのキー番号とキー番号対応に記憶されている発光パターンデータを順次読み出し前記キー番号に対応する前記発光パターン制御部へ転送し、すべてのキー番号対応の前記発光パターンデータの転送終了を検出したき前記発光パターン制御部へバックライトの点灯を指示するバックライト点灯指示情報を送信することを特徴とする請求項５８記載のキーバックライトの制御方式。
【請求項６０】
前記発光パターン制御部は前記制御部から順次受信した前記キー番号とキー番号対応の発光パターンデータを一時蓄積し、前記バックライト点灯指示情報を受信したとき前記一時蓄積しておいた前記発光パターンデータをそれぞれ対応する前記３色ＬＥＤへ送信し前記３色ＬＥＤを発光させることを特徴とする請求項５８、５９記載のキーバックライトの制御方式。
【請求項６１】
前記制御部は前記アプリケーション機能モードの起動要求を検出したとき、前記機能対応発光パターン制御テーブルを検索し、前記検出したアプリケーション機能に対応して記憶されている有効キーおよび無効キーの識別符号を基に前記操作部のすべてのキーに対し有効キー、無効キーを識別し、識別した各有効キーおよび各無効キーに対応するキー番号、発光色識別情報および発光パターンデータを前記機能対応発光パターン制御テーブルから順次読み出し前記キー番号に対応する前記発光パターン制御部へ転送し、すべてのキー番号対応の前記発光色識別情報および前記発光パターンデータの転送終了を検出したき前記発光パターン制御部へバックライトの点灯を指示するバックライト点灯指示情報を送信することを特徴とする請求項５９、６０記載のキーバックライトの制御方式。
【請求項６２】
前記発光輝度制御部は前記制御部から順次受信した前記キー番号、キー番号に対応する発光色識別情報および発光パターンデータを一時蓄積し、前記バックライト点灯指示情報を受信したとき前記一時蓄積しておいた前記発光パターンデータをそれぞれ対応する前記３色ＬＥＤへ送信し前記３色ＬＥＤを発光させることを特徴とする請求項５８、６１記載のキーバックライトの制御方式。
【請求項６３】
前記アプリケーション機能モード要求以外のキー押下情報は、発信、メール入力であることを特徴とする請求項５９記載のキーバックライトの制御方式。
【請求項６４】
前記アプリケーション機能はゲーム、ストップウォッチ機能、電卓機能、目覚まし／アラーム機能、バーコード読み取り機能、カメラ撮像機能であることを特徴とする請求項５１、５８記載のキーバックライトの制御方式。
【請求項６５】
複数の操作キーを備え、前記複数の操作キーを個々に照射するキーバックライトを有する電子機器において、前記キーバックライトを照射するための複数の異なる発光色と前記発光色に対応する色彩データを予め登録しておく発光色制御テーブルと、前記複数の操作キー個々に予め付与されたキー番号に対し前記発光色制御テーブルを基にユーザが任意の発光色を設定するためのキー対応発光色設定メモリと、複数のアプリケーション機能モードの操作時に使用する有効キーと操作時に使用しない無効キーを異なる発光色で発光させるための機能対応発光色制御テーブルを備え、前記キー対応発光色設定メモリおよび機能対応発光色制御テーブルの記憶内容に基づき前記キーバックライト個々に対応して配設された色彩制御部を制御して前記バックライトの点灯を制御するＣＰＵを含む制御部であって、前記制御部は、イベント発生を監視し着信か否かを判定する第１のステップと、第１のステップの判定が着信以外のときユーザのキー押下情報を基にアプリケーション機能の起動要求か否かを判定する第２のステップと、第１のステップにおける判定結果が着信、および第２のステップにおける判定結果が発信モードまたはメールモードであるとき、前記キー対応発光色設定メモリから各キーの前記キー番号と発光色の前記色彩データを読み出し、前記キー番号に対応する前記色彩制御部へ転送する第３にステップと、前記色彩制御部に対する前記色彩データの転送終了時に前記色彩制御部に対し前記バックライトの点灯を指示し前記バックライトを異なる発光色で点灯させる第４のステップと、第２のステップにおける判定結果が所定のアプリケーション機能の起動要求のとき要求機能のアプリケーションを起動し、前記機能対応発光色制御テーブルからキー番号、有効および無効キー情報、発光色識別情報、色彩データを読み出し前記有効キーの前記キー番号に対応する前記色彩制御部および前記無効キーの前記キー番号に対応する前記色彩制御部へそれぞれ対応する前記色彩データを転送する第５のステップと、前記色彩制御部に対する前記色彩データの転送終了時に前記色彩制御部に対し前記バックライト点灯を指示し前記有効キーと前記無効キーの前記バックライトを異なる発光色で点灯させる第６のステップとを有することを特徴とするキーバックライトの制御方法。
【請求項６６】
複数の操作キーを備え、前記複数の操作キーを個々に照射するキーバックライトを有する電子機器において、前記キーバックライトを照射するための複数の異なる発光色または任意の共通発光色と前記発光色毎に前記複数の操作キー個々に予め付与されたキー番号に対応して発光輝度を所定のステップ数に区分した輝度強度データを予め登録しておく発光輝度制御テーブルと、前記キー番号に対し前記発光輝度制御テーブルを基にユーザが任意の発光色とその発光輝度データを設定するためのキー対応発光輝度設定メモリと、複数のアプリケーション機能モードの操作時に使用する有効キーと操作時に使用しない無効キーを異なる発光色で且つ任意の異なる輝度で発光させるための輝度強度データを設定するための機能対応発光輝度制御テーブルを備え、前記キー対応発光輝度設定メモリおよび機能対応発光輝度制御テーブルの記憶内容に基づき前記キーバックライト個々に対応して配設された発光輝度制御部を制御して前記バックライトの点灯を制御するＣＰＵを含む制御部であって、前記制御部は、イベント発生を監視し着信か否かを判定する第１１のステップと、第１１のステップの判定が着信以外のときユーザのキー押下情報を基にアプリケーション機能要求か否かを判定する第１２のステップと、第１１のステップにおける判定結果が着信、および第１２のステップにおける判定結果が発信モードまたはメールモードであるとき、前記キー対応発光輝度設定メモリから各キーの前記キー番号とキー番号に対応する前記発光色の前記輝度強度データを読み出し、前記キー番号に対応する前記発光輝度制御部へ転送する第１３にステップと、前記発光輝度制御部に対する前記輝度強度データの転送終了時に前記発光輝度制御部に対し前記バックライトの点灯を指示し前記バックライトを異なる発光色または前記共通色で且つ異なる発光輝度で点灯させる第１４のステップと、第１２のステップにおける判定結果が所定のアプリケーション機能の起動要求のとき要求機能のアプリケーションを起動し、前記機能対応発光色制御テーブルからキー番号、有効および無効キー情報、発光色識別情報、輝度強度データを読み出し前記有効キーの前記キー番号に対応する前記発光輝度制御部および前記無効キーの前記キー番号に対応する前記発光輝度制御部へそれぞれ対応する前記輝度強度データを転送する第１５のステップと、前記発光輝度制御部に対する前記輝度強度データの転送終了時に前記発光輝度制御部に対し前記バックライト点灯を指示し前記有効キーと前記無効キーの前記バックライトを異なる発光色または任意の共通色で且つ異なる輝度強度で点灯させる第１６のステップとを有することを特徴とするキーバックライトの制御方法。
【請求項６７】
複数の操作キーを備え、前記複数の操作キーを個々に照射するキーバックライトを有する電子機器において、前記キーバックライトを照射するための複数の異なる発光色または任意の共通発光色と前記発光色毎に前記複数の操作キー個々に予め付与されたキー番号に対応して発光パターンを所定のステップ数に区分した発光パターンデータを予め登録しておく発光パターン制御テーブルと、前記キー番号に対し前記発光パターン制御テーブルを基にユーザが任意の発光色とその発光パターンデータを設定するためのキー対応発光パターン設定メモリと、複数のアプリケーション機能モードの操作時に使用する有効キーと操作時に使用しない無効キーを異なる発光色で且つ任意の異なるパターンで発光させるための発光パターンデータを設定するための機能対応発光パターン制御テーブルを備え、前記キー対応発光パターン設定メモリおよび機能対応発光パターン制御テーブルの記憶内容に基づき前記キーバックライト個々に対応して配設された発光パターン制御部を制御して前記バックライトの点灯を制御するＣＰＵを含む制御部であって、前記制御部は、イベント発生を監視し着信か否かを判定する第２１のステップと、第２１のステップの判定が着信以外のときユーザのキー押下情報を基にアプリケーション機能の起動要求か否かを判定する第２２のステップと、第２１のステップにおける判定結果が着信、および第２２のステップにおける判定結果が発信モードまたはメールモードであるとき、前記キー対応発光パターン設定メモリから各キーの前記キー番号とキー番号に対応する前記発光色の前記発光パターンデータを読み出し、前記キー番号に対応する前記発光パターン制御部へ転送する第２３にステップと、前記発光パターン制御部に対する前記発光パターンデータの転送終了時に前記発光パターン制御部に対し前記バックライトの点灯を指示し前記バックライトを異なる発光色で且つ異なる発光パターンで点灯させる第２４のステップと、第２２のステップにおける判定結果が所定のアプリケーション機能の起動要求のとき要求機能のアプリケーションを起動し、前記機能対応発光パターン制御テーブルからキー番号、有効および無効キー情報、発光色識別情報、発光パターンデータを読み出し前記有効キーの前記キー番号に対応する前記発光パターン制御部および前記無効キーの前記キー番号に対応する前記発光パターン制御部へそれぞれ対応する前記発光パタンデータを転送する第２５のステップと、前記発光パターン制御部に対する前記発光パターンデータの転送終了時に前記発光パターン制御部に対し前記バックライトの点灯を指示し前記有効キーと前記無効キーの前記バックライトを異なる発光色または任意の共通色で且つ異なる発光パターンで点灯させる第２６のステップとを有することを特徴とするキーバックライトの制御方法。
【請求項６８】
複数の操作キーを備え、前記複数の操作キーを個々に照射するキーバックライトを有する電子機器において、前記キーバックライトを照射するための複数の異なる発光色と前記発光色に対応する色彩データを予め登録しておく発光色制御テーブルと、前記複数の操作キー個々に予め付与されたキー番号に対し前記発光色制御テーブルを基にユーザが任意の発光色を設定するためのキー対応発光色設定メモリと、複数のアプリケーション機能モードの操作時に使用する有効キーと操作時に使用しない無効キーを異なる発光色で発光させるための機能対応発光色制御テーブルを備え、前記キー対応発光色設定メモリおよび機能対応発光色制御テーブルの記憶内容に基づき前記キーバックライト個々に対応して配設された色彩制御部を制御して前記バックライトの点灯を制御するＣＰＵを含む制御部であって、前記制御部は、イベント発生を監視し着信か否かを判定する第１のステップと、第１のステップの判定が着信以外のときユーザのキー押下情報を基にアプリケーション機能の起動要求か否かを判定する第２のステップと、第１のステップにおける判定結果が着信、および第２のステップにおける判定結果が発信モードまたはメールモードであるとき、前記キー対応発光色設定メモリから各キーの前記キー番号と発光色の前記色彩データを読み出し、前記キー番号に対応する前記色彩制御部へ転送する第３にステップと、前記色彩制御部に対する前記色彩データの転送終了時に前記色彩制御部に対し前記バックライトの点灯を指示し前記バックライトを異なる発光色で点灯させる第４のステップと、第２のステップにおける判定結果が所定のアプリケーション機能の起動要求のとき要求機能のアプリケーションを起動し、前記機能対応発光色制御テーブルからキー番号、有効および無効キー情報、発光色識別情報、色彩データを読み出し前記有効キーの前記キー番号に対応する前記色彩制御部および前記無効キーの前記キー番号に対応する前記色彩制御部へそれぞれ対応する前記色彩データを転送する第５のステップと、前記色彩制御部に対する前記色彩データの転送終了時に前記色彩制御部に対し前記バックライト点灯を指示し前記有効キーと前記無効キーの前記バックライトを異なる発光色で点灯させる第６のステップとをＣＰＵに処理させるキーバックライトの制御プログラム。
【請求項６９】
複数の操作キーを備え、前記複数の操作キーを個々に照射するキーバックライトを有する電子機器において、前記キーバックライトを照射するための複数の異なる発光色または任意の共通発光色と前記発光色毎に前記複数の操作キー個々に予め付与されたキー番号に対応して発光輝度を所定のステップ数に区分した輝度強度データを予め登録しておく発光輝度制御テーブルと、前記キー番号に対し前記発光輝度制御テーブルを基にユーザが任意の発光色とその発光輝度データを設定するためのキー対応発光輝度設定メモリと、複数のアプリケーション機能モードの操作時に使用する有効キーと操作時に使用しない無効キーを異なる発光色で且つ任意の異なる輝度で発光させるための輝度強度データを設定するための機能対応発光輝度制御テーブルを備え、前記キー対応発光輝度設定メモリおよび機能対応発光輝度制御テーブルの記憶内容に基づき前記キーバックライト個々に対応して配設された発光輝度制御部を制御して前記バックライトの点灯を制御するＣＰＵを含む制御部であって、前記制御部は、イベント発生を監視し着信か否かを判定する第１１のステップと、第１１のステップの判定が着信以外のときユーザのキー押下情報を基にアプリケーション機能要求か否かを判定する第１２のステップと、第１１のステップにおける判定結果が着信、および第１２のステップにおける判定結果が発信モードまたはメールモードであるとき、前記キー対応発光輝度設定メモリから各キーの前記キー番号とキー番号に対応する前記発光色の前記輝度強度データを読み出し、前記キー番号に対応する前記発光輝度制御部へ転送する第１３にステップと、前記発光輝度制御部に対する前記輝度強度データの転送終了時に前記発光輝度制御部に対し前記バックライトの点灯を指示し前記バックライトを異なる発光色または前記共通色で且つ異なる発光輝度で点灯させる第１４のステップと、第１２のステップにおける判定結果が所定のアプリケーション機能の起動要求のとき要求機能のアプリケーションを起動し、前記機能対応発光色制御テーブルからキー番号、有効および無効キー情報、発光色識別情報、輝度強度データを読み出し前記有効キーの前記キー番号に対応する前記発光輝度制御部および前記無効キーの前記キー番号に対応する前記発光輝度制御部へそれぞれ対応する前記輝度強度データを転送する第１５のステップと、前記発光輝度制御部に対する前記輝度強度データの転送終了時に前記発光輝度制御部に対し前記バックライト点灯を指示し前記有効キーと前記無効キーの前記バックライトを異なる発光色または任意の共通色で且つ異なる輝度強度で点灯させる第１６のステップとをＣＰＵに処理させるキーバックライトの制御プログラム。
【請求項７０】
複数の操作キーを備え、前記複数の操作キーを個々に照射するキーバックライトを有する電子機器において、前記キーバックライトを照射するための複数の異なる発光色または任意の共通発光色と前記発光色毎に前記複数の操作キー個々に予め付与されたキー番号に対応して発光パターンを所定のステップ数に区分した発光パターンデータを予め登録しておく発光パターン制御テーブルと、前記キー番号に対し前記発光パターン制御テーブルを基にユーザが任意の発光色とその発光パターンデータを設定するためのキー対応発光パターン設定メモリと、複数のアプリケーション機能モードの操作時に使用する有効キーと操作時に使用しない無効キーを異なる発光色で且つ任意の異なるパターンで発光させるための発光パターンデータを設定するための機能対応発光パターン制御テーブルを備え、前記キー対応発光パターン設定メモリおよび機能対応発光パターン制御テーブルの記憶内容に基づき前記キーバックライト個々に対応して配設された発光パターン制御部を制御して前記バックライトの点灯を制御するＣＰＵを含む制御部であって、前記制御部は、イベント発生を監視し着信か否かを判定する第２１のステップと、第２１のステップの判定が着信以外のときユーザのキー押下情報を基にアプリケーション機能の起動要求か否かを判定する第２２のステップと、第２１のステップにおける判定結果が着信、および第２２のステップにおける判定結果が発信モードまたはメールモードであるとき、前記キー対応発光パターン設定メモリから各キーの前記キー番号とキー番号に対応する前記発光色の前記発光パターンデータを読み出し、前記キー番号に対応する前記発光パターン制御部へ転送する第２３にステップと、前記発光パターン制御部に対する前記発光パターンデータの転送終了時に前記発光パターン制御部に対し前記バックライトの点灯を指示し前記バックライトを異なる発光色で且つ異なる発光パターンで点灯させる第２４のステップと、第２２のステップにおける判定結果が所定のアプリケーション機能の起動要求のとき要求機能のアプリケーションを起動し、前記機能対応発光パターン制御テーブルからキー番号、有効および無効キー情報、発光色識別情報、発光パターンデータを読み出し前記有効キーの前記キー番号に対応する前記発光パターン制御部および前記無効キーの前記キー番号に対応する前記発光パターン制御部へそれぞれ対応する前記発光パタンデータを転送する第２５のステップと、前記発光パターン制御部に対する前記発光パターンデータの転送終了時に前記発光パターン制御部に対し前記バックライトの点灯を指示し前記有効キーと前記無効キーの前記バックライトを異なる発光色または任意の共通色で且つ異なる発光パターンで点灯させる第２６のステップとをＣＰＵに処理させるキーバックライトの制御プログラム。
【発明の詳細な説明】
【技術分野】
【０００１】
本発明はキーバックライトの制御方式、制御方法およびその制御プログラムに関し、特に多色点灯によるキー識別方式に関する。
【背景技術】
【０００２】
携帯電子機器の小型化に伴い操作キーの配設領域も必然的に狭くなっている。特に携帯電話機などはキーの誤操作、夜間など暗がりで使用する場合に備え、キー操作部にバックライト機能を備えている。
【０００３】
現在、携帯電話機などの携帯電子機器に使用されているキーバックライト発光方式は、キーバックライト点灯時にすべてのキーが同じ色を発光している。
【０００４】
また、キー操作はキートップに記載されている文字を目視で確認して所望キーを操作するが、視力が弱いユーザや使用環境によっては誤認識による操作ミスを起こす可能性がある。
【０００５】
このようなユーザに対するキー操作の操作性を向上すべく、各操作キー個々に対しキーバックライトを個別に設け、且つ各バックライトのオン／オフを制御するための制御端子を独立に設け、任意の動作モードにおける操作上有効なキーに対応するバックライトのみを点灯し、当該動作モードにおける操作上無効なキーに対応するバックライトを消灯する技術が、例えば特開平１１−５３０８６号公報に開示されている（第１の従来技術）。
【０００６】
この第１の従来技術は、制御部（マイクロコンピュータ）、マトリックス操作キー、マトリックス操作キーの数字キー、＊キー、＃キーそれぞれに対応するバックライトと、バックライトを個々にオン／オフするためのトランジスタスイッチから成るバックライトドライブ回路と、バックライトを個々にオン／オフするための制御信号を出力する出力端子と、操作キーが押下された状態を常時スキャンして制御部に取り込むための入力端子とから構成され、最初バックライトが消灯している状態では、ユーザが任意のキーを押下することによりすべてのバックライトが点灯し、一連のキー操作において２回目以降のキー入力については、その状態において有効となるキーのバックライトのみ点灯し、その状態において無効なキーが押下されたときアラーム音を出力し、一定時間キー入力がないときはバックライトを消灯する。
【０００７】
しかしながらこの従来技術１は、バックライトに使用するＬＥＤは単色であり、数字キー、＊キー、＃キーに対しそれぞれ異なる色で発光することができないという問題がある。
【０００８】
上記第１の従来技術の外に、キー操作信号を識別しユーザが実行したキー操作を示すキー操作識別信号を解読して次に操作が有効となるキーを判定し、次に操作が有効と判定したキーに対して配設されたＬＥＤを発光させることにより、ユーザに次の操作キーを認識させる技術が、例えば特開２００１−３４３９８号公報に開示されている（第２の従来技術）。
【０００９】
この第２の従来技術は、数字および文字入力（登録名の入力）時に使用する数字キーには黄色のＬＥＤのみ、数字キー以外の複数のキーには赤色、緑色、黄色のＬＥＤを配設し、例えば多数の電話番号をグループ分類して電話帳登録する場合、最初に登録名入力モードが起動され、数字および文字入力（登録名の入力）時に使用するすべての数字キーを黄色、登録名を確定する＊キーを緑色、登録名を漢字変換するスクロールキーを赤色でそれぞれ発光させ、登録名の確定が終了すると電話番号入力モードに移行して、電話番号を入力する数字キーを黄色、入力された電話番号を確定する＊キーを緑色でそれぞれ発光させ、電話番号の確定が終了するとグループ番号入力モードに移行して、グループ番号を入力する数字キーのうち分類するグループ数に対応する数の数字キーを黄色、入力されたグループ数を確定する＊キーを緑色でそれぞれ発光させ操作が有効なキーと操作が無効なキーをユーザに認識させるものである。
【００１０】
また、所定時刻を時計したとき、特定の相手からの着信時にすべてのキーを不規則に発光させ娯楽性を持たせる。
【００１１】
しかしながらこの第２の従来技術は、数字キーと数字キー以外のキーを異なる色で発光させるものの、いずれの発光色も単色（赤色、緑色、黄色）であり、ユーザが好みの発光色を設定することができない。
【００１２】
また、数字キーはすべて単色の黄色で発光するため、数字キーを個々に異なる色に設定することができない。
【００１３】
また、所定時刻を時計したとき、特定の相手からの着信時にすべてのキーを不規則に発光させる旨の記載はあるものの、具体的な方法が開示されていない。
【００１４】
この不規則な発光時においても、その発光色の指定がない。すなわち、数字キー以外の決定キー、ファンクションキー、通話開式―、クリアキー、リダイヤルキー、＊キー、＃キーをどのような色で発光させるかが不明である。
【００１５】
【特許文献１】特開平１１−５３０８６号公報（段落０００５、０００７、、４）
【特許文献２】特開２００１−３４３９８号公報（段落００３４〜段落００４０、、５）
【発明の開示】
【発明が解決しようとする課題】
【００１６】
上述した第１の従来技術は、バックライトに使用するＬＥＤは単色であり、数字キー、＊キー、＃キー、その他のキーに対しそれぞれ異なる色で発光することができないという問題がある。
【００１７】
また、数字キー、＊キー、＃キー、その他のキーに対しそれぞれ異なる発光色で且つ異なる発光輝度や発光パターンで発光させることができない。
【００１８】
従って、ユーザに対する操作キーの操作性が十分ではない。
【００１９】
上述した第２の従来技術は、数字キーと数字キー以外のキーを異なる色で発光させるものの、いずれの発光色も単色（赤色、緑色、黄色）であり、ユーザが好みの発光色を設定することができない。
【００２０】
また、数字キーはすべて単色の黄色で発光するため、数字キーを個々に異なる色に設定することができない。
【００２１】
また、所定時刻を時計したとき、特定の相手からの着信時にすべてのキーを不規則に発光させる旨の記載はあるものの、具体的な方法が開示されていない。
【００２２】
この不規則な発光時においても、その発光色の指定がない。すなわち、数字キー以外の決定キー、ファンクションキー、通話開式―、クリアキー、リダイヤルキー、＊キー、＃キーをどのような色で発光させるかが不明である。
【００２３】
本発明の目的は、操作部の複数のキーを異なる発光色で発光させ、また異なる発光色で  且つ異なる発光輝度、発光パターンで発光させることにより、キーバックライト点灯時のキー識別、キー操作の効率を向上させることが可能なキーバックライトの制御方式、制御方法、および制御プログラムを提供することにある。
【課題を解決するための手段】
【００２４】
本発明のキーバックライトの制御方式（請求項１〜２０）は、複数の操作キーを備え、前記複数の操作キーを個々に照射するキーバックライトを有する電子機器において、前記キーバックライトを個々に制御し、前記複数の操作キーを個々に異なる発光色で照射する制御手段を有することを特徴とする。
【００２５】
また、前記複数の操作キーを個々に照射するキーバックライトの発光色は、ユーザが任意に設定可能なことを特徴とする。
【００２６】
また、前記ユーザによる前記複数の操作キーを個々に照射するキーバックライトの発光色の設定は、発光色制御テーブルを基に前記ユーザの所定の操作によりキー対応発光色設定メモリに記憶することを特徴とする。
【００２７】
また、前記発光色制御テーブルは、複数の発光色個々に対応して発光色識別情報と、発光色の色彩データが予め登録されていることを特徴とする。
【００２８】
また、前記複数の操作キー個々に異なるキー番号を付与し、前記キー対応発光色設定メモリは、前記キー番号に対応して発光色と、発光色の色彩データを記憶することを特徴とする。
【００２９】
また、前記複数の操作キーを個々に照射するキーバックライトの発光色は、前記キー対応発光色設定メモリに記憶されている前記色彩データを基に前記制御手段が発光制御することを特徴とする。
【００３０】
また、複数の操作キーを備え、前記複数の操作キーを個々に照射するキーバックライトを有する電子機器において、前記キーバックライトを個々に制御し、アプリケーション機能モードの操作時に使用する有効キーと操作時に使用しない無効キーを異なる発光色で照射する制御手段を有することを特徴とする。
【００３１】
また、前記アプリケーション機能モードの操作時に使用する１つまたは複数の有効キーと操作時に使用しない１つまたは複数の無効キーを個々に照射するキーバックライトの発光色は、ユーザが任意に設定可能なことを特徴とする。
【００３２】
また、前記アプリケーション機能モードの操作時に使用する１つまたは複数の有効キーと操作時に使用しない１つまたは複数の無効キーを個々に照射するキーバックライトの発光色は、発光色制御テーブルを基に前記ユーザの所定の操作により機能対応発光色制御テーブルに記憶することを特徴とする。
【００３３】
また、前記発光色制御テーブルは、複数の発光色個々に対応して発光色識別情報と、発光色の色彩データが予め登録されていることを特徴とする。
【００３４】
また、前記複数の操作キー個々に異なるキー番号を付与し、前記機能対応発光色制御テーブルは、機能毎に、前記キー番号に対応して有効キーと無効キーを区別するためのキー識別符号と、発光色識別符号と、発光色の色彩データが記憶されていることを特徴とする。
【００３５】
また、前記１つまた複数の有効キーと前記１つまたは複数の無効キーを個々に照射するキーバックライトの発光色は、前記機能対応発光色制御テーブルに記憶されている色彩データを基に前記制御手段が発光制御することを特徴とする。
【００３６】
また、前記電子機器は、携帯電話機であることを特徴とする。
【００３７】
また、前記携帯電話機は、前記複数の操作キーを備える操作部と、種々情報を表示する表示部と、前記操作部の複数の操作キー個々に対応する３色ＬＥＤを有するキーバックライトと、前記３色ＬＥＤ個々に対応し配設され前記３色ＬＥＤを異なる発光色で点灯するための色彩制御部と、前記キーバックライトを照射するための複数の異なる発光色と前記発光色に対応する色彩データを予め登録しておく発光色制御テーブルおよび前記複数の操作キー個々に対し任意の発光色を設定するためのキー対応発光色設定メモリと、複数のアプリケーション機能モードの操作時に使用する有効キーと操作時に使用しない無効キーを異なる発光色で発光させるための機能対応発光色制御テーブルを備える記憶部と、前記キー対応発光色設定メモリおよび機能対応発光色制御テーブルの記憶内容に基づき前記色彩制御部を制御して前記３色ＬＥＤの点灯を制御するＣＰＵを含む制御部とを有することを特徴とする。
【００３８】
また、前記制御部はイベント発生を監視し着信および前記アプリケーション機能モード要求以外のキー押下情報を検出したとき、前記キー対応発光色設定メモリから前記操作部のすべてのキー番号とキー番号対応に記憶されている色彩データを順次読み出し前記キー番号に対応する前記色彩制御部へ転送し、すべてのキー番号対応の前記色彩データの転送終了を検出したき前記色彩制御部へバックライトの点灯を指示するバックライト点灯指示情報を送信することを特徴とする。
【００３９】
また、前記色彩制御部は前記制御部から順次受信した前記キー番号とキー番号対応の色彩データを一時蓄積し、前記バックライト点灯指示情報を受信したとき前記一時蓄積しておいた前記色彩データをそれぞれ対応する前記３色ＬＥＤへ送信し前記３色ＬＥＤを発光させることを特徴とする。
【００４０】
また、前記制御部は前記アプリケーション機能モードの起動要求を検出したとき、前記機能対応発光色制御テーブルを検索し、前記検出したアプリケーション機能に対応して記憶されている有効キーおよび無効キーの識別符号を基に前記操作部のすべてのキーに対し有効キー、無効キーを識別し、識別した各有効キーおよび各無効キーに対応するキー番号、発光色識別情報および色彩データを前記機能対応発光色制御テーブルから順次読み出し前記キー番号に対応する前記色彩制御部へ転送し、すべてのキー番号対応の前記発光色識別情報および前記色彩データの転送終了を検出したき前記色彩制御部へバックライトの点灯を指示するバックライト点灯指示情報を送信することを特徴とする。
【００４１】
また、前記色彩制御部は前記制御部から順次受信した前記キー番号、キー番号に対応する発光色識別情報および色彩データを一時蓄積し、前記バックライト点灯指示情報を受信したと前記一時蓄積しておいた前記色彩データをそれぞれ対応する前記３色ＬＥＤへ送信し前記３色ＬＥＤを発光させることを特徴とする。
【００４２】
また、前記アプリケーション機能モード要求以外のキー押下情報は、発信、メール入力であることを特徴とする。
【００４３】
また、前記アプリケーション機能はゲーム機能、ストップウォッチ機能、電卓機能、目覚まし／アラーム機能、バーコード読み取り機能、カメラ撮像機能であることを特徴とする。
【００４４】
本発明によれば、着信時、発信時およびメールモード時に、操作部のすべてのキーをユーザの所望する任意の異なる色で発光させることができるので、ユーザの操作機キーの認識や誤操作が軽減でき、操作性が向上する。
【００４５】
また、アプリケーション機能の起動時には、アプリケーション機能毎にそれぞれの操作に有効なキーと無効なキーをユーザの所望する任意の異なる発光色あるいは任意の共有色で発光させることができるので、例えばゲーム機能におけるユーザの操作機キーの認識や誤操作が軽減でき、操作性が向上する。
【００４６】
本発明のキーバックライトの制御方式（請求項２１〜４２）は、複数の操作キーを備え、前記複数の操作キーを個々に照射するキーバックライトを有する電子機器において、前記キーバックライトを個々に制御し、前記複数の操作キーを個々に異なる発光輝度で照射する制御手段を有することを特徴とする。
【００４７】
また、前記複数の操作キーを個々に照射するキーバックライトの発光輝度は、ユーザが任意に設定可能なことを特徴とする。
【００４８】
また、前記ユーザによる前記複数の操作キーを個々に照射するキーバックライトの発光輝度の設定は、発光輝度制御テーブルを基に前記ユーザの所定の操作によりキー対応発光輝度設定メモリに記憶することを特徴とする。
【００４９】
また、前記発光輝度制御テーブルは、複数の発光色個々に対応して発光色識別情報と、発光色の輝度データが予め記憶されていることを特徴とする。
【００５０】
また、前記輝度データは所定の輝度範囲を最大輝度値から最小輝度値まで所定のステップで分割され、且つ前記複数のキーすべてに対し個々に異なる前記ステップの輝度強度データが記憶されていることを特徴とする。
【００５１】
また、前記複数のキー個々に対する発光色および前記輝度強度データの登録はユーザが任意に設定可能であることを特徴とする。
【００５２】
また、前記複数の操作キー個々に異なるキー番号を付与し、前記キー対応発光輝度設定メモリは、前記キー番号に対応して発光色と、発光色個々に対し異なる前記ステップの輝度強度データを記憶することを特徴とする。
【００５３】
また、前記複数の操作キーを個々に照射するキーバックライトの発光輝度は、キー対応発光輝度設定メモリに記憶されている前記輝度データを基に前記制御手段が輝度制御することを特徴とする。
【００５４】
また、複数の操作キーを備え、前記複数の操作キーを個々に照射するキーバックライトを有する電子機器において、前記キーバックライトを個々に制御し、アプリケーション機能モードの操作時に使用する有効キーと操作時に使用しない無効キーを異なる発光輝度で照射する制御手段を有することを特徴とする。
【００５５】
また、前記アプリケーション機能モードの操作時に使用する１つまたは複数の有効キーと操作時に使用しない１つまたは複数の無効キーを個々に照射するキーバックライトの発光輝度は、ユーザが任意に設定可能なことを特徴とする。
【００５６】
また、前記アプリケーション機能モードの操作時に使用する１つまたは複数の有効キーと操作時に使用しない１つまたは複数の無効キーを個々に照射するキーバックライトの発光輝度は、発光輝度制御テーブルを基に前記ユーザの所定の操作により機能対応発光輝度制御テーブルに記憶することを特徴とする。
【００５７】
また、前記発光輝度制御テーブルは、複数の発光色個々に対応して発光色識別情報と、発光色の輝度データが予め登録されていることを特徴とする。
【００５８】
また、前記複数の操作キー個々に異なるキー番号を付与し、前記機能対応発光輝度制御テーブルは、機能毎に、前記キー番号に対応して有効キーと無効キーを区別するためのキー識別符号と、発光色識別符号と、発光色の輝度データが記憶されていることを特徴とする。
【００５９】
また、前記１つまた複数の有効キーと前記１つまたは複数の無効キーを個々に照射するキーバックライトの発光輝度は、前記機能対応発光色制御テーブルに記憶されている輝度データを基に前記制御手段が輝度制御することを特徴とする。
【００６０】
また、前記電子機器は、携帯電話機であることを特徴とする。
【００６１】
また、前記携帯電話機は、前記複数の操作キーを備える操作部と、種々情報を表示する表示部と、前記操作部の複数の操作キー個々に対応する３色ＬＥＤを有するキーバックライトと、前記３色ＬＥＤ個々に対し配設され前記３色ＬＥＤを異なる輝度で点灯するための発光輝度制御部と、前記キーバックライトを照射するための複数の異なる発光色と前記発光色に対応する輝度データを予め登録しておく発光輝度制御テーブルおよび前記複数の操作キー個々に対し任意の発光輝度を設定するためのキー対応発光輝度設定メモリと、複数のアプリケーション機能モードの操作時に使用する有効キーと操作時に使用しない無効キーを異なる発光輝度で発光させるための機能対応発光輝度制御テーブルを備える記憶部と、前記キー対応発光輝度設定メモリおよび前記機能対応発光輝度制御テーブルの記憶内容に基づき前記発光輝度制御部を制御して前記３色ＬＥＤの点灯を制御するＣＰＵを含む制御部とを有することを特徴とする。
【００６２】
また、前記制御部はイベント発生を監視し着信および前記アプリケーション機能モード要求以外のキー押下情報を検出したとき、前記キー対応発光輝度設定メモリから前記操作部のすべてのキー番号とキー番号対応に記憶されている輝度データを順次読み出し前記キー番号に対応する前記発光輝度制御部へ転送し、すべてのキー番号対応の前記輝度データの転送終了を検出したき前記発光輝度制御部へバックライトの点灯を指示するバックライト点灯指示情報を送信することを特徴とする。
【００６３】
また、前記発光輝度制御部は前記制御部から順次受信した前記キー番号とキー番号対応の輝度データを一時蓄積し、前記バックライト点灯指示情報を受信したとき前記一時蓄積しておいた前記輝度データをそれぞれ対応する前記３色ＬＥＤへ送信し前記３色ＬＥＤを発光させることを特徴とする。
【００６４】
また、前記制御部は前記アプリケーション機能モードの起動要求を検出したとき、前記機能対応発光輝度制御テーブルを検索し、前記検出したアプリケーション機能に対応して記憶されている有効キーおよび無効キーの識別符号を基に前記操作部のすべてのキーに対し有効キー、無効キーを識別し、識別した各有効キーおよび各無効キーに対応するキー番号、発光色識別情報および輝度データを前記機能対応発光輝度制御テーブルから順次読み出し前記キー番号に対応する前記発光輝度制御部へ転送し、すべてのキー番号対応の前記発光色識別情報および前記輝度データの転送終了を検出したき前記発光輝度制御部へバックライトの点灯を指示するバックライト点灯指示情報を送信することを特徴とする。
【００６５】
また、前記発光輝度制御部は前記制御部から順次受信した前記キー番号、キー番号に対応する発光色識別情報および輝度データを一時蓄積し、前記バックライト点灯指示情報を受信したとき前記一時蓄積しておいた前記輝度データをそれぞれ対応する前記３色ＬＥＤへ送信し前記３色ＬＥＤを発光させることを特徴とする。
【００６６】
また、前記アプリケーション機能モード要求以外のキー押下情報は、発信、メール入力であることを特徴とする。
【００６７】
また、前記アプリケーション機能はゲーム機能、ストップウォッチ機能、電卓機能、目覚まし／アラーム機能、バーコード読み取り機能、カメラ撮像機能であることを特徴とする。
【００６８】
本発明によれば、着信時、発信時およびメールモード時に、操作部のすべてのキーをユーザの所望する任意の異なる色で且つ任意の発光輝度で発光させることができるので、ユーザの操作機キーの認識や誤操作が軽減でき、操作性が向上する。
【００６９】
また、アプリケーション機能の起動時には、アプリケーション機能毎にそれぞれの操作に有効なキーと無効なキーをユーザの所望する任意の異なる発光色あるいは任意の共有色で且つ任意の発光輝度で発光させることができるので、例えばゲーム機能におけるユーザの操作機キーの認識や誤操作が軽減でき、操作性が向上する。
【００７０】
本発明のキーバックライトの制御方式（請求項４３〜６４）は、複数の操作キーを備え、前記複数の操作キーを個々に照射するキーバックライトを有する電子機器において、前記キーバックライトを個々に制御し、前記複数の操作キーを個々に異なる発光パターンで照射する制御手段を有することを特徴とする。
【００７１】
また、前記複数の操作キーを個々に照射するキーバックライトの発光パターンは、ユーザが任意に設定可能なことを特徴とする。
【００７２】
また、前記ユーザによる前記複数の操作キーを個々に照射するキーバックライトの発光パターンの設定は、発光パターン制御テーブルを基に前記ユーザの所定の操作によりキー対応発光パターン設定メモリに記憶することを特徴とする。
【００７３】
また、前記発光パターン制御テーブルは、複数の発光色個々に対応して発光色識別情報と、発光色の発光パターンデータが予め記憶されていることを特徴とする。
【００７４】
また、前記発光パターンデータは所定の周期期間を最大発光周期値から最小発光周期値まで所定のステップで分割され、且つ前記複数のキーすべてに対し個々に異なる前記ステップの発光周期データが登録されていることを特徴とする。
【００７５】
また、前記複数のキー個々に対する発光色および前記発光周期データの登録はユーザが任意に設定可能であることを特徴とする。
【００７６】
また、前記複数の操作キー個々に異なるキー番号を付与し、前記キー対応発光パターン設定メモリは、前記キー番号に対応して発光色と、発光色個々に対し異なる前記ステップの発光周期データを記憶することを特徴とする。
【００７７】
また、前記複数の操作キーを個々に照射するキーバックライトの発光パターンは、前記キー対応発光パターン設定メモリに記憶されている前記発光パターンデータを基に前記制御手段が発光パターン制御することを特徴とする。
【００７８】
また、複数の操作キーを備え、前記複数の操作キーを個々に照射するキーバックライトを有する電子機器において、前記キーバックライトを個々に制御し、アプリケーション機能モードの操作時に使用する有効キーと操作時に使用しない無効キーを異なる発光パターンで照射する制御手段を有することを特徴とする。
【００７９】
また、前記アプリケーション機能モードの操作時に使用する１つまたは複数の有効キーと操作時に使用しない１つまたは複数の無効キーを個々に照射するキーバックライトの発光パターンは、ユーザが任意に設定可能なことを特徴とする。
【００８０】
また、前記アプリケーション機能モードの操作時に使用する１つまたは複数の有効キーと操作時に使用しない１つまたは複数の無効キーを個々に照射するキーバックライトの発光パターンは、発光パターン制御テーブルを基に前記ユーザの所定の操作により機能対応発光輝度制御テーブルに記憶することを特徴とする。
【００８１】
また、前記発光パターン制御テーブルは、複数の発光色個々に対応して発光色識別情報と、発光色の発光パターンデータが予め登録されていることを特徴とする。
【００８２】
また、前記複数の操作キー個々に異なるキー番号を付与し、前記機能対応発光パターン制御テーブルは、機能毎に、前記キー番号に対応して有効キーと無効キーを区別するためのキー識別符号と、発光色識別符号と、発光色の発光パターンデータが記憶されていることを特徴とする。
【００８３】
また、前記１つまた複数の有効キーと前記１つまたは複数の無効キーを個々に照射するキーバックライトの発光パターンは、前記機能対応発光パターン制御テーブルに記憶されている発光パターンデータを基に前記制御手段がパターン制御することを特徴とする。
【００８４】
また、前記電子機器は、携帯電話機であることを特徴とする。
【００８５】
また、前記携帯電話機は、前記複数の操作キーを備える操作部と、種々情報を表示する表示部と、前記操作部の複数の操作キー個々に対応する３色ＬＥＤを有するキーバックライトと、前記３色ＬＥＤ個々に対し配設された前記３色ＬＥＤを異なる周期で点灯するための発光パターン制御部と、前記キーバックライトを照射するための複数の異なる発光色と前記発光色に対応する発光パターンデータを予め登録しておく発光パターン制御テーブルおよび前記複数の操作キー個々に対し任意の発光パターンを設定するためのキー対応発光パターン設定メモリと、複数のアプリケーション機能モードの操作時に使用する有効キーと操作時に使用しない無効キーを異なる発光パターンで発光させるための機能対応発光パターン制御テーブルを備える記憶部と、前記キー対応発光パターン設定メモリおよび前記機能対応発光パターン制御テーブルの記憶内容に基づき前記発光パターン制御部を制御して前記３色ＬＥＤの点灯を制御するＣＰＵを含む制御部とを有することを特徴とする。
【００８６】
また、前記制御部はイベント発生を監視し着信および前記アプリケーション機能モード要求以外のキー押下情報を検出したとき、前記キー対応発光パターン設定メモリから前記操作部のすべてのキー番号とキー番号対応に記憶されている発光パターンデータを順次読み出し前記キー番号に対応する前記発光パターン制御部へ転送し、すべてのキー番号対応の前記発光パターンデータの転送終了を検出したき前記発光パターン制御部へバックライトの点灯を指示するバックライト点灯指示情報を送信することを特徴とする。
【００８７】
また、前記発光パターン制御部は前記制御部から順次受信した前記キー番号とキー番号対応の発光パターンデータを一時蓄積し、前記バックライト点灯指示情報を受信したとき前記一時蓄積しておいた前記発光パターンデータをそれぞれ対応する前記３色ＬＥＤへ送信し前記３色ＬＥＤを発光させることを特徴とする。
【００８８】
また、前記制御部は前記アプリケーション機能モードの起動要求を検出したとき、前記機能対応発光パターン制御テーブルを検索し、前記検出したアプリケーション機能に対応して記憶されている有効キーおよび無効キーの識別符号を基に前記操作部のすべてのキーに対し有効キー、無効キーを識別し、識別した各有効キーおよび各無効キーに対応するキー番号、発光色識別情報および発光パターンデータを前記機能対応発光パターン制御テーブルから順次読み出し前記キー番号に対応する前記発光パターン制御部へ転送し、すべてのキー番号対応の前記発光色識別情報および前記発光パターンデータの転送終了を検出したき前記発光パターン制御部へバックライトの点灯を指示するバックライト点灯指示情報を送信することを特徴とする。
【００８９】
また、前記発光輝度制御部は前記制御部から順次受信した前記キー番号、キー番号に対応する発光色識別情報および発光パターンデータを一時蓄積し、前記バックライト点灯指示情報を受信したとき前記一時蓄積しておいた前記発光パターンデータをそれぞれ対応する前記３色ＬＥＤへ送信し前記３色ＬＥＤを発光させることを特徴とする。
【００９０】
また、前記アプリケーション機能モード要求以外のキー押下情報は、発信、メール入力であることを特徴とする。
【００９１】
また、前記アプリケーション機能はゲーム、ストップウォッチ機能、電卓機能、目覚まし／アラーム機能、バーコード読み取り機能、カメラ撮像機能であることを特徴とする。
【００９２】
本発明によれば、着信時、発信時およびメールモード時に、操作部のすべてのキーをユーザの所望する任意の異なる色で且つ任意の発光パターンで発光させることができるので、ユーザの操作機キーの認識や誤操作が軽減でき、操作性が向上する。
【００９３】
また、アプリケーション機能の起動時には、アプリケーション機能毎にそれぞれの操作に有効なキーと無効なキーをユーザの所望する任意の異なる発光色あるいは任意の共有色で且つ任意の発光パターンで発光させることができるので、例えばゲーム機能におけるユーザの操作機キーの認識や誤操作が軽減でき、操作性が向上する。
【００９４】
本発明のキーバックライトの制御方法は、複数の操作キーを備え、前記複数の操作キーを個々に照射するキーバックライトを有する電子機器において、前記キーバックライトを照射するための複数の異なる発光色と前記発光色に対応する色彩データを予め登録しておく発光色制御テーブルと、前記複数の操作キー個々に予め付与されたキー番号に対し前記発光色制御テーブルを基にユーザが任意の発光色を設定するためのキー対応発光色設定メモリと、複数のアプリケーション機能モードの操作時に使用する有効キーと操作時に使用しない無効キーを異なる発光色で発光させるための機能対応発光色制御テーブルを備え、前記キー対応発光色設定メモリおよび機能対応発光色制御テーブルの記憶内容に基づき前記キーバックライト個々に対応して配設された色彩制御部を制御して前記バックライトの点灯を制御するＣＰＵを含む制御部であって、前記制御部は、イベント発生を監視し着信か否かを判定する第１のステップと、第１のステップの判定が着信以外のときユーザのキー押下情報を基にアプリケーション機能の起動要求か否かを判定する第２のステップと、第１のステップにおける判定結果が着信、および第２のステップにおける判定結果が発信モードまたはメールモードであるとき、前記キー対応発光色設定メモリから各キーの前記キー番号と発光色の前記色彩データを読み出し、前記キー番号に対応する前記色彩制御部へ転送する第３にステップと、前記色彩制御部に対する前記色彩データの転送終了時に前記色彩制御部に対し前記バックライトの点灯を指示し前記バックライトを異なる発光色で点灯させる第４のステップと、第２のステップにおける判定結果が所定のアプリケーション機能の起動要求のとき要求機能のアプリケーションを起動し、前記機能対応発光色制御テーブルからキー番号、有効および無効キー情報、発光色識別情報、色彩データを読み出し前記有効キーの前記キー番号に対応する前記色彩制御部および前記無効キーの前記キー番号に対応する前記色彩制御部へそれぞれ対応する前記色彩データを転送する第５のステップと、前記色彩制御部に対する前記色彩データの転送終了時に前記色彩制御部に対し前記バックライト点灯を指示し前記有効キーと前記無効キーの前記バックライトを異なる発光色で点灯させる第６のステップとを有することを特徴とする。
【００９５】
また、複数の操作キーを備え、前記複数の操作キーを個々に照射するキーバックライトを有する電子機器において、前記キーバックライトを照射するための複数の異なる発光色または任意の共通発光色と前記発光色毎に前記複数の操作キー個々に予め付与されたキー番号に対応して発光輝度を所定のステップ数に区分した輝度強度データを予め登録しておく発光輝度制御テーブルと、前記キー番号に対し前記発光輝度制御テーブルを基にユーザが任意の発光色とその発光輝度データを設定するためのキー対応発光輝度設定メモリと、複数のアプリケーション機能モードの操作時に使用する有効キーと操作時に使用しない無効キーを異なる発光色で且つ任意の異なる輝度で発光させるための輝度強度データを設定するための機能対応発光輝度制御テーブルを備え、前記キー対応発光輝度設定メモリおよび機能対応発光輝度制御テーブルの記憶内容に基づき前記キーバックライト個々に対応して配設された発光輝度制御部を制御して前記バックライトの点灯を制御するＣＰＵを含む制御部であって、前記制御部は、イベント発生を監視し着信か否かを判定する第１１のステップと、第１１のステップの判定が着信以外のときユーザのキー押下情報を基にアプリケーション機能要求か否かを判定する第１２のステップと、第１１のステップにおける判定結果が着信、および第１２のステップにおける判定結果が発信モードまたはメールモードであるとき、前記キー対応発光輝度設定メモリから各キーの前記キー番号とキー番号に対応する前記発光色の前記輝度強度データを読み出し、前記キー番号に対応する前記発光輝度制御部へ転送する第１３にステップと、前記発光輝度制御部に対する前記輝度強度データの転送終了時に前記発光輝度制御部に対し前記バックライトの点灯を指示し前記バックライトを異なる発光色または前記共通色で且つ異なる発光輝度で点灯させる第１４のステップと、第１２のステップにおける判定結果が所定のアプリケーション機能の起動要求のとき要求機能のアプリケーションを起動し、前記機能対応発光色制御テーブルからキー番号、有効および無効キー情報、発光色識別情報、輝度強度データを読み出し前記有効キーの前記キー番号に対応する前記発光輝度制御部および前記無効キーの前記キー番号に対応する前記発光輝度制御部へそれぞれ対応する前記輝度強度データを転送する第１５のステップと、前記発光輝度制御部に対する前記輝度強度データの転送終了時に前記発光輝度制御部に対し前記バックライト点灯を指示し前記有効キーと前記無効キーの前記バックライトを異なる発光色または任意の共通色で且つ異なる輝度強度で点灯させる第１６のステップとを有することを特徴とする。
【００９６】
また、複数の操作キーを備え、前記複数の操作キーを個々に照射するキーバックライトを有する電子機器において、前記キーバックライトを照射するための複数の異なる発光色または任意の共通発光色と前記発光色毎に前記複数の操作キー個々に予め付与されたキー番号に対応して発光パターンを所定のステップ数に区分した発光パターンデータを予め登録しておく発光パターン制御テーブルと、前記キー番号に対し前記発光パターン制御テーブルを基にユーザが任意の発光色とその発光パターンデータを設定するためのキー対応発光パターン設定メモリと、複数のアプリケーション機能モードの操作時に使用する有効キーと操作時に使用しない無効キーを異なる発光色で且つ任意の異なるパターンで発光させるための発光パターンデータを設定するための機能対応発光パターン制御テーブルを備え、前記キー対応発光パターン設定メモリおよび機能対応発光パターン制御テーブルの記憶内容に基づき前記キーバックライト個々に対応して配設された発光パターン制御部を制御して前記バックライトの点灯を制御するＣＰＵを含む制御部であって、前記制御部は、イベント発生を監視し着信か否かを判定する第２１のステップと、第２１のステップの判定が着信以外のときユーザのキー押下情報を基にアプリケーション機能の起動要求か否かを判定する第２２のステップと、第２１のステップにおける判定結果が着信、および第２２のステップにおける判定結果が発信モードまたはメールモードであるとき、前記キー対応発光パターン設定メモリから各キーの前記キー番号とキー番号に対応する前記発光色の前記発光パターンデータを読み出し、前記キー番号に対応する前記発光パターン制御部へ転送する第２３にステップと、前記発光パターン制御部に対する前記発光パターンデータの転送終了時に前記発光パターン制御部に対し前記バックライトの点灯を指示し前記バックライトを異なる発光色で且つ異なる発光パターンで点灯させる第２４のステップと、第２２のステップにおける判定結果が所定のアプリケーション機能の起動要求のとき要求機能のアプリケーションを起動し、前記機能対応発光パターン制御テーブルからキー番号、有効および無効キー情報、発光色識別情報、発光パターンデータを読み出し前記有効キーの前記キー番号に対応する前記発光パターン制御部および前記無効キーの前記キー番号に対応する前記発光パターン制御部へそれぞれ対応する前記発光パタンデータを転送する第２５のステップと、前記発光パターン制御部に対する前記発光パターンデータの転送終了時に前記発光パターン制御部に対し前記バックライトの点灯を指示し前記有効キーと前記無効キーの前記バックライトを異なる発光色または任意の共通色で且つ異なる発光パターンで点灯させる第２６のステップとを有することを特徴とする。
【００９７】
本発明のキーバックライトの制御プログラムは、複数の操作キーを備え、前記複数の操作キーを個々に照射するキーバックライトを有する電子機器において、前記キーバックライトを照射するための複数の異なる発光色と前記発光色に対応する色彩データを予め登録しておく発光色制御テーブルと、前記複数の操作キー個々に予め付与されたキー番号に対し前記発光色制御テーブルを基にユーザが任意の発光色を設定するためのキー対応発光色設定メモリと、複数のアプリケーション機能モードの操作時に使用する有効キーと操作時に使用しない無効キーを異なる発光色で発光させるための機能対応発光色制御テーブルを備え、前記キー対応発光色設定メモリおよび機能対応発光色制御テーブルの記憶内容に基づき前記キーバックライト個々に対応して配設された色彩制御部を制御して前記バックライトの点灯を制御するＣＰＵを含む制御部であって、前記制御部は、イベント発生を監視し着信か否かを判定する第１のステップと、第１のステップの判定が着信以外のときユーザのキー押下情報を基にアプリケーション機能の起動要求か否かを判定する第２のステップと、第１のステップにおける判定結果が着信、および第２のステップにおける判定結果が発信モードまたはメールモードであるとき、前記キー対応発光色設定メモリから各キーの前記キー番号と発光色の前記色彩データを読み出し、前記キー番号に対応する前記色彩制御部へ転送する第３にステップと、前記色彩制御部に対する前記色彩データの転送終了時に前記色彩制御部に対し前記バックライトの点灯を指示し前記バックライトを異なる発光色で点灯させる第４のステップと、第２のステップにおける判定結果が所定のアプリケーション機能の起動要求のとき要求機能のアプリケーションを起動し、前記機能対応発光色制御テーブルからキー番号、有効および無効キー情報、発光色識別情報、色彩データを読み出し前記有効キーの前記キー番号に対応する前記色彩制御部および前記無効キーの前記キー番号に対応する前記色彩制御部へそれぞれ対応する前記色彩データを転送する第５のステップと、前記色彩制御部に対する前記色彩データの転送終了時に前記色彩制御部に対し前記バックライト点灯を指示し前記有効キーと前記無効キーの前記バックライトを異なる発光色で点灯させる第６のステップとをＣＰＵに処理させる。
【００９８】
また、複数の操作キーを備え、前記複数の操作キーを個々に照射するキーバックライトを有する電子機器において、前記キーバックライトを照射するための複数の異なる発光色または任意の共通発光色と前記発光色毎に前記複数の操作キー個々に予め付与されたキー番号に対応して発光輝度を所定のステップ数に区分した輝度強度データを予め登録しておく発光輝度制御テーブルと、前記キー番号に対し前記発光輝度制御テーブルを基にユーザが任意の発光色とその発光輝度データを設定するためのキー対応発光輝度設定メモリと、複数のアプリケーション機能モードの操作時に使用する有効キーと操作時に使用しない無効キーを異なる発光色で且つ任意の異なる輝度で発光させるための輝度強度データを設定するための機能対応発光輝度制御テーブルを備え、前記キー対応発光輝度設定メモリおよび機能対応発光輝度制御テーブルの記憶内容に基づき前記キーバックライト個々に対応して配設された発光輝度制御部を制御して前記バックライトの点灯を制御するＣＰＵを含む制御部であって、前記制御部は、イベント発生を監視し着信か否かを判定する第１１のステップと、第１１のステップの判定が着信以外のときユーザのキー押下情報を基にアプリケーション機能要求か否かを判定する第１２のステップと、第１１のステップにおける判定結果が着信、および第１２のステップにおける判定結果が発信モードまたはメールモードであるとき、前記キー対応発光輝度設定メモリから各キーの前記キー番号とキー番号に対応する前記発光色の前記輝度強度データを読み出し、前記キー番号に対応する前記発光輝度制御部へ転送する第１３にステップと、前記発光輝度制御部に対する前記輝度強度データの転送終了時に前記発光輝度制御部に対し前記バックライトの点灯を指示し前記バックライトを異なる発光色または前記共通色で且つ異なる発光輝度で点灯させる第１４のステップと、第１２のステップにおける判定結果が所定のアプリケーション機能の起動要求のとき要求機能のアプリケーションを起動し、前記機能対応発光色制御テーブルからキー番号、有効および無効キー情報、発光色識別情報、輝度強度データを読み出し前記有効キーの前記キー番号に対応する前記発光輝度制御部および前記無効キーの前記キー番号に対応する前記発光輝度制御部へそれぞれ対応する前記輝度強度データを転送する第１５のステップと、前記発光輝度制御部に対する前記輝度強度データの転送終了時に前記発光輝度制御部に対し前記バックライト点灯を指示し前記有効キーと前記無効キーの前記バックライトを異なる発光色または任意の共通色で且つ異なる輝度強度で点灯させる第１６のステップとをＣＰＵに処理させる。
【００９９】
また、複数の操作キーを備え、前記複数の操作キーを個々に照射するキーバックライトを有する電子機器において、前記キーバックライトを照射するための複数の異なる発光色または任意の共通発光色と前記発光色毎に前記複数の操作キー個々に予め付与されたキー番号に対応して発光パターンを所定のステップ数に区分した発光パターンデータを予め登録しておく発光パターン制御テーブルと、前記キー番号に対し前記発光パターン制御テーブルを基にユーザが任意の発光色とその発光パターンデータを設定するためのキー対応発光パターン設定メモリと、複数のアプリケーション機能モードの操作時に使用する有効キーと操作時に使用しない無効キーを異なる発光色で且つ任意の異なるパターンで発光させるための発光パターンデータを設定するための機能対応発光パターン制御テーブルを備え、前記キー対応発光パターン設定メモリおよび機能対応発光パターン制御テーブルの記憶内容に基づき前記キーバックライト個々に対応して配設された発光パターン制御部を制御して前記バックライトの点灯を制御するＣＰＵを含む制御部であって、前記制御部は、イベント発生を監視し着信か否かを判定する第２１のステップと、第２１のステップの判定が着信以外のときユーザのキー押下情報を基にアプリケーション機能の起動要求か否かを判定する第２２のステップと、第２１のステップにおける判定結果が着信、および第２２のステップにおける判定結果が発信モードまたはメールモードであるとき、前記キー対応発光パターン設定メモリから各キーの前記キー番号とキー番号に対応する前記発光色の前記発光パターンデータを読み出し、前記キー番号に対応する前記発光パターン制御部へ転送する第２３にステップと、前記発光パターン制御部に対する前記発光パターンデータの転送終了時に前記発光パターン制御部に対し前記バックライトの点灯を指示し前記バックライトを異なる発光色で且つ異なる発光パターンで点灯させる第２４のステップと、第２２のステップにおける判定結果が所定のアプリケーション機能の起動要求のとき要求機能のアプリケーションを起動し、前記機能対応発光パターン制御テーブルからキー番号、有効および無効キー情報、発光色識別情報、発光パターンデータを読み出し前記有効キーの前記キー番号に対応する前記発光パターン制御部および前記無効キーの前記キー番号に対応する前記発光パターン制御部へそれぞれ対応する前記発光パタンデータを転送する第２５のステップと、前記発光パターン制御部に対する前記発光パターンデータの転送終了時に前記発光パターン制御部に対し前記バックライトの点灯を指示し前記有効キーと前記無効キーの前記バックライトを異なる発光色または任意の共通色で且つ異なる発光パターンで点灯させる第２６のステップとをＣＰＵに処理させる。
【発明の効果】
【０１００】
以上説明したように本発明のキーバックライトの制御方式、制御方法および制御プログラムによれば、複数の操作キーを個々に照射するキーバックライトを有する電子機器において、キーバックライトを個々に制御して複数の操作キーを異なる任意の発光色、任意の異なる発光色あるいは任意の共通色で、且つ任意の発光輝度あるいは異なる任意の発光パターンで照射することにより、操作時におけるキーの識別が容易になり、ユーザのキー誤認識による操作ミスが軽減されるため、キー操作の操作性向上を図ることができる。
【０１０１】
また、着信、発信、メールモード以外の例えば、ゲーム機能、ストップウォッチア機能、電卓機能、目覚まし／アラーム機能、バーコード読み取り機能、カメラ撮像機能等のアプリケーション機能モードにおいては、各機能を操作する際の有効キーと無効キーを任意の異なる発光色あるいは任意の共通色で、且つ任意の発光輝度あるいは任意の発光パターンで照射することにより、操作時におけるキーの識別が容易になり、ユーザのキー誤認識による操作ミスが軽減されるため、キー操作の操作性向上を図ることができる。
【発明を実施するための最良の形態】
【０１０２】
本発明の実施の形態について図面を参照して説明する。
【０１０３】
最初に第１の実施の形態の動作について説明する。
【０１０４】
図１は第１の実施の形態における携帯電話機の主要構成図、図２は第１の実施の形態におけるキーバックライトの発光色設定処理のフローチャート、図３は第１の実施の形態におけるキーバックライトの発光色設定のための色指定メニューの表示例を示す図、図４は第１の実施の形態における発着信モード、メールモードおよび各種アプリケーション機能起動時のキーバックライトの点灯処理のフローチャート、図５は第１の実施の形態における発着信モード、メールモード時のキーバックライトの点灯例を示す図、図６は第１の実施の形態におけるアプリケーション機能起動時のキーバックライトの有効／無効キーの点灯例を示す図、図７は第１の実施の形態における発光色制御テーブルの構成例を示す図、図８は第１の実施の形態におけるキー対応発光色設定メモリの構成例を示す図、図９は第１の実施の形態におけるアプリケーション機能対応発光色制御テーブルの構成例を示す図である。
【０１０５】
本発明を適用した携帯電話機は、図１に示すように、制御部１、操作部２、表示部３、キーバックライト４、色彩制御部５、記憶部６、無線部７から構成されている。
【０１０６】
制御部１は、マイクロコンピュータを含み、操作部２、表示部３、キーバックライト４、色彩制御部５、記録部６、無線部７等、携帯電話全体の制御を司る。
【０１０７】
操作部２はユーザが種々情報の入力や各種機能操作を行うための数字入力キー（０〜９）、＊キー、＃キー、および各種ファンクションキー（図示せず）を備えるキー操作部である。
【０１０８】
表示部３は、ＬＣＤ等で構成され、文字情報等を表示する。
【０１０９】
バックライト４は、任意の色を発色することができるキーバックライトであり、操作部２の各キーの下もしくは近接した位置に配置され、数字入力キー、＊キー、＃キー、各種ファンクションキーを個々に照射する。
【０１１０】
バックライト４は、操作部２の各キー個々に対応して３色ＬＥＤ４−１〜４−１２を備えている。無線部７は他の無線機器、もしくはネットワークとの通信を行う際に無線信号を送受信する。
【０１１１】
色彩制御部５は、３色ＬＥＤ４−１〜４−１２個々に対応して色彩制御ドライバ５−１〜５−１２を備え、３色ＬＥＤ４−１〜４−１２を個々に制御するものであり、操作部２のすべてのキー個々のバックライトを制御する。
【０１１２】
図１には３色ＬＥＤ４−１〜４−１２、色彩制御ドライバ５−１〜５−１２がそれぞれ数字入力キー、＊キー、＃キーに対応しているが、図示していないファンクションキー個々にも３色ＬＥＤ、色彩制御ドライバをそれぞれ配設しているが省略し、数字入力キー、＊キー、＃キーに対するキーバックライトのみ記載している。
【０１１３】
記憶部６は、図７に示すバックライト４の３色ＬＥＤ４−１〜４−１２個々の発光色を制御するための発光色制御テーブル６−１を備え、発光色個々に対する色彩データを予め登録しておく。
【０１１４】
３色ＬＥＤ４−１〜４−１２を駆動する色彩制御ドライバ５−１〜５−１２は、ＰＷＭ制御型３色ＬＥＤ制御ドライバ（例えば新日本無線ＮＪＵ６０６０）を使用することにより発光色は最大３２７６８色まで理論上設定可能である。
【０１１５】
また、記憶部６は図８に示すキー対応発光色設定メモリ６−２を備え、ユーザが発光色制御テーブル６−１を基にキー個々に任意の発光色を設定することができる。ここでは数字入力キー（キー番号１〜１０）、＊キー（キー番号１１）、＃キー（キー番号１２）に対し個々に異なる発光色を設定した場合を例に図示している。
【０１１６】
すなわち、キー番号１（数字キー１）には赤色、キー番号２（数字キー２）には緑色、キー番号３（数字キー３）には青色、キー番号４（数字キー４）には紫色、キー番号５（数字キー５）には黄色、キー番号６（数字キー６）には白色、キー番号７（数字キー７）には橙色、キー番号８（数字キー８）には茶色、キー番号９（数字キー９）には水色、キー番号１０（数字キー０）には赤紫色、キー番号１１（＊キー）には黄緑色、キー番号１２（＃キー）には青紫色が登録されている。
【０１１７】
更に、記憶部６は図９に示すように機能対応発光色制御テーブル６−３を備え、各機能に対応する有効キー／無効キーの発光色と色彩データが予め記憶されている。この色彩データは発光色制御テーブル６−１を基にユーザが任意に設定することができる。
【０１１８】
なお、操作部２はキーバックライト４の上に重ねて配設され、キー個々に対して照射する。
【０１１９】
次に図２に図１を併せて参照し、キーバックライトの発光色の設定処理について説明する。
【０１２０】
ユーザがキー個々に対し所望するキーバックライト発光色を設定すべく操作部２の所定のキーを押下して発光色設定モードを選択（図２のステップＳ１０１）した後、続いて操作部２の入力キー（数字キー、＊キー、＃キー）の任意のキー、例えば数字キー１を押下する（Ｓ１０２）。
【０１２１】
制御部１は操作部２から押下された数字キーのキー情報を受信してキー番号を判定する（Ｓ１０３）。ステップＳ１０３の判定結果がキー番号１（数字キー１）でない場合はステップＳ１０７へ移行し、キー番号１（数字キー１）である場合には、表示部３に押下したキーの発光色を指定するための色指定メニュー（図３）を表示する（Ｓ１０４）。
【０１２２】
この発光色指定メニューは数字キー、＊キー、＃キー個々に異なる発光色設定するために、例えば、赤、緑、青、紫、黄、白、橙、茶、水色、黄緑、赤紫、青紫の１２色が表示される。
【０１２３】
ユーザは表示部３に表示された色指定メニューから数字キー１に対する発光色、例えば赤色をカーソルを移動して選択し確定キーを押下する。（Ｓ１０５）。
【０１２４】
制御部１は、記憶部６の発光色制御テーブル６−１から、ユーザにより選択、確定された発光色（赤色）の識別符号と、キーバックライト（３色ＬＥＤ）の発光色制御信号である色彩データを読み出し、記憶部６のキー対応発光色設定メモリ６−２にユーザが指定した数字キーのキー番号１に対応して発光色（赤色）と色彩データ（赤色）を記憶する（Ｓ１０６）。
【０１２５】
ステップＳ１０３における判定結果が数字キー１でなかった場合は、キー番号２（数字キー２）であるか判定し（Ｓ１０７）、判定結果が数字キー２である場合は、表示部３に色指定メニューを表示する（Ｓ１０８）。
【０１２６】
ユーザは表示部３に表示された色指定メニューから数字キー２に対する発光色、例えば緑色をカーソルを移動して選択し確定キーを押下する。（Ｓ１０９）。
【０１２７】
制御部１は、記憶部６の発光色制御テーブル６−１から、ユーザにより選択、確定された発光色（緑色）と、キーバックライト（３色ＬＥＤ）の色彩制御データである緑色の色彩データを読み出し、記憶部６のキー対応発光色設定メモリ６−２にユーザが指定した数字キーのキー番号２に対応して発光色（緑色）と色彩データ（緑色）を記憶する（Ｓ１０６）。
【０１２８】
ステップＳ１０７における判定結果が数字キー２でない場合は、キー番号３（数字キー３）〜キー番号１０（数字キー０）を順次判定し、同様に数字キー３に対しては例えば青色、数字キー４に対しては紫色、数字キー５に対しては黄色、数字キー６に対しては白色、数字キー７に対しては橙色、数字キー８に対しては茶色、数字キー９に対しては水色、数字キー０に対しては赤紫色と対応する色彩データをそれぞれのキー番号に対応して記憶部６のキー対応発光色設定メモリ６−２に記憶する。
【０１２９】
更に、キー番号１１（＊キー）に対しては例えば黄緑色と色彩データ（黄緑色）をキー番号１１に対応して記憶部６のキー対応発光色設定メモリ６−２に記憶し（ステップＳ１１０〜ステップＳ１１２、Ｓ１０６）、キー番号１２（♯キー）に対しては例えば青紫色と色彩データ（青紫色）を記憶部６のキー対応発光色設定メモリ６−２に記憶する（Ｓ３１３〜Ｓ１１５、Ｓ１０６）。
【０１３０】
なお、各種ファンクションキー（図示せず）についても同様に、任意の色を設定することが可能である。
【０１３１】
このように、操作部２の各キーそれぞれに対し所望な発光色を指定して記憶部６のキー対応発光色設定メモリ６−２に各キー番号対応に発光色と色彩データを記憶しておき、発着呼時、メール作成時等にキー対応発光色設定メモリ６−２から各キーの発光色のＩ記載データを読み出し、キーバックライトを点灯することによりキー識別、キー操作が容易になる。
【０１３２】
次に図４に図１を併せて参照してキーバックライトの点灯制御処理について説明する。制御部１はイベントが発生すると（図４のステップＳ２０１）、着信か否かを判定する（Ｓ２０２）。
【０１３３】
ステップＳ２０２の判定結果が着信である場合は、記憶部６のキー対応発光色設定メモリ６−２（図８）から各キー番号と各キー番号に対応する発光色制御信号である色彩データを読み出し（Ｓ２０３）、色彩制御部５に各キー対応に配設されている色彩制御ドライバ５−１〜５−１２へ転送する（Ｓ２０４）。色彩制御ドライバ５−１〜５−１２は制御部１〜転送された色彩データを一時記憶する。
【０１３４】
制御部１は、全色彩制御ドライバ５−１〜５−１２へのキー番号と色彩データの転送を監視し、転送終了を検出すると（Ｓ２０５）、すべての色彩制御ドライバ５−１〜５−１２に対しキーバックライトの点灯を指示する（Ｓ２０６）。
【０１３５】
色彩制御ドライバ５−１〜５−１２は、制御部１からキーバックライトの点灯指示を受けると、すべてのバックライトを異なる色で点灯させ、操作キーを照射する（Ｓ２０７）。
【０１３６】
制御部１は、ステップＳ２０２における判定結果が着信でない場合は、入力されたキー情報を検出し（Ｓ２０８）、キー情報が所定アプリケーション機能（例えばゲーム）の起動要求か否かを判定する（２０９）。
【０１３７】
ステップＳ２０９の判定結果が所定アプリケーション機能の起動要求でない場合は、発信操作またはメールモードであると認識しステップＳ２０３へ移行し、ステップＳ２０３〜Ｓ２０７の処理を実行する。すなわち、キー対応発光色設定メモリ６−２に登録されている色彩データですべてのキーを異なる発光色でキーバックライト点灯する。
【０１３８】
このように着信時、発信時、メールモード時における操作部２の各キーは、図５に示すように数字キー１は赤色、数字キー２は緑色、数字キー３は青色、数字キー４は紫色、数字キー５は黄色、数字キー６は白色、数字キー７は橙色、数字キー８は茶色、数字キー９は水色、数字キー０は赤紫色、＊キーは黄緑色、＃キーは青紫色でそれぞれ照射される。
【０１３９】
ステップＳ２０９における判定結果が、所定アプリケーション機能の起動要求である場合は、指定された機能、例えばゲームのアプリケーションプログラムを起動する（Ｓ２１０）。ここで所定アプリケーション機能とは、例えば、ゲーム機能、ストップウォッチ機能、電卓機能、目覚まし／アラーム機能、バーコード読み取り機能、カメラ撮像機能等を指す。なお、ここではゲーム機能を実行する場合を例に説明する。
【０１４０】
制御部１はゲーム機能（ゲーム）のアプリケーションプログラムが起動されると、記憶部６の機能対応発光色制御テーブル６−３（図９）からゲーム機能である機能Ａのキー番号、有効／無効キー符号、各キーに対応する発光色の制御情報を読み出し（Ｓ２１１）、有効／無効符号を基にキー番号１〜１２に対して有効キーか無効キーかを判定する（Ｓ２１２）。
【０１４１】
機能対応発光色制御テーブル６−３には図９に示すように、機能毎にその機能操作に必要な（使用する）キーを有効キー、その機能操作に不要な（使用しない）キーを無効キーとして、異なる色でバックライトを点灯するために各キー番号に対応する発光色制御信号である色彩データが登録されている。
【０１４２】
また、機能対応発光色制御テーブルには、機能Ａ、機能Ｂ〜機能Ｎを操作する際必要な有効キーと操作に不要な無効キーを「１」と「０」の符号により区分し、有効キーと無効キーに異なる発光色の色彩データが設定されている。
【０１４３】
図９によれば、機能Ａ（ゲーム機能）の場合、ゲーム操作に必要な有効キーとして、キー番号２（数字キー２）、キー番号４、５、６（数字キー４、５、６）、キー番号８（数字キー８）が設定され、各有効キーに対し赤色の色彩データが設定されている。
【０１４４】
また無効キーとして、キー番号１（数字キー１）、キー番号３（数字キー３）、キー番号７（数字キー７）、キー番号９〜１２（数字キー０、＊キー、♯キー）が設定され、各無効キーに対し黄色の色彩データが設定されている。すなわち、有効キーは赤色で、無効キーは黄色でバックライト点灯される。
【０１４５】
機能Ｂは、必要な有効キーとして、キー番号１（数字キー１）、キー番号４（数字キー４）、キー番号７（数字キー７）、キー番号１１（＊キー）が設定され、各有効キーに対し緑色の色彩データが設定されている。
【０１４６】
また無効キーとして、キー番号２（数字キー２）、キー番号３（数字キー３）、キー番号５（数字キー５）、キー番号６（数字キー６）、キー番号８、９、１０（数字キー８、９、１０）、キー番号１２（＃キー）が設定され、各無効キーに対し青色の色彩データが設定されている。すなわち、有効キーは緑色で、無効キーは青色でバックライト点灯される。
【０１４７】
同様に機能Ｎは、有効キーとしてキー番号３、６、９、１２（数字キー３、６、９、＃キー）が橙色で点灯し、無効キーとしてキー番号１、２、４、５、７、８、１０、１１（数字キー１、２、４、５、７、８、０、＊キー）が黄緑色でバックライト点灯される。
【０１４８】
制御部１はステップＳ２１２において判定された有効キーに対応する色彩制御ドライバ（図９によれば有効キー２、４、５、６、８に対応する色彩制御ドライバ５−２、５−４〜５−６、５−８）へ赤色の色彩データを転送する（Ｓ２１３）。
【０１４９】
ステップＳ２１２における判定結果が無効キーの場合は、無効キーに対応する色彩制御ドライバ（図９によれば無効キー１、３、７、９、１０、１１、１２に対応する色彩制御ドライバ５−１、５−３、５−７、５−９〜５−１２）へ黄色の色彩データを転送する（Ｓ２１４）。
【０１５０】
制御部１は全色彩制御ドライバ５−１〜５−１２への全キーの色彩データの転送を監視し、転送終了を検出すると（Ｓ２１５）、すべての色彩制御ドライバ５−１〜５−１２に対しキーバックライトの点灯を指示する（Ｓ２１６）。
【０１５１】
色彩制御ドライバ５−１〜５−１２は、制御部１からキーバックライトの点灯指示を受けると、有効キーと無効キーを異なる色（有効キーは赤色、無効キーは黄色）でキーバックライトを点灯させる（Ｓ２１７）。
【０１５２】
このようにアプリケーション機能が例えばゲームであるときの操作部２の各キーは、図６に示すように有効キーである数字キー２、４、５、６、８は赤色、無効キーである数字キー１、３、７、９、０、および＊キー、＃キーは黄色でそれぞれ照射される。
【０１５３】
次に第２の実施の形態について説明する。
第２の実施の形態は、キーバックライトを任意の異なる発光色または任意の同色（共通色）で発光し、且つキー個々に対し異なる輝度に制御することにより、ユーザのキー操作を容易にするものである。
【０１５４】
図１０は第２の実施の形態における携帯電話機の主要構成図、図１１は第２の実施の形態におけるキーバックライトの発光色設定処理のフローチャート、図１２は第２の実施の形態におけるキーバックライトの発光色設定のための色指定メニューの表示例を示す図、図１３は第２の実施の形態における発着信モード、メールモードおよび各種アプリケーション機能起動時のキーバックライトの点灯処理のフローチャート、図１４は第２の実施の形態における発光輝度制御テーブルの構成例を示す図、図１５は第２の実施の形態におけるキー対応発光輝度設定メモリの構成例を示す図、図１６は第２の実施の形態におけるアプリケーション機能対応発光輝度制御テーブルの構成例を示す図である。
【０１５５】
本発明を適用した携帯電話機は、図１１に示すように、キーバックライト４を制御する発光輝度制御部８を備え、発光輝度制御部８はバックライト４の３色ＬＥＤ４−１〜４−１２に対応する発光輝度制御ドライバ８−１〜８−１２で構成されている。なお、発光輝度制御ドライバ８−１〜８−１２以外は第１の実施の形態と同じ構成であるため説明を省略する。
【０１５６】
発光輝度制御ドライバ８−１〜８−１２は、バックライト４の３色ＬＥＤ４−１〜４−１２の発光輝度を個々に制御可能であればよく、その構成を限定するものではないが、ここでは第１の実施の形態と同様なＰＷＭ制御型３色ＬＥＤ多色コントロールドライバを使用するものとする。
【０１５７】
記憶部６には図１４に示す３色ＬＥＤ４−１〜４−１２の発光輝度を制御するための発光輝度制御テーブル６−４を備え、発光輝度制御テーブルには３色ＬＥＤ４−１〜４−１２の発光色として複数（例えば１２色）の発光色それぞれに対応して発光輝度を制御するための輝度データが予め登録されている。各発光色に対応する輝度データは、キー番号個々に対応して異なる輝度強度データが設定されている。
【０１５８】
このキー番号個々に対する輝度強度データはユーザが任意に設定することができるが、ここではキー番号順に高輝度から低輝度に設定されている。
【０１５９】
すなわち、図１４に示すように、この輝度データは３色ＬＥＤ４−１〜４−１２個々に対し異なる明るさを設定するために、所定の輝度範囲、例えば数字キー、＊キー、＃キーを認識できる輝度範囲を所定のステップで１２段階の輝度強度データに区分されており、各３色ＬＥＤに対する輝度強度データの割り付けは、操作部２の各数字キー、＊キー、＃キーのキー操作順に最大輝度から１ステップ毎に最小輝度まで設定されている。
【０１６０】
図１４によれば、発光色個々に対応して、キー操作順に最高輝度（輝度強度データ１）〜最低輝度（輝度強度データ１２）が記憶されている。
【０１６１】
また、記憶部６には図１５に示すキー対応発光輝度設定メモリ６−５を備え、ユーザは発光輝度制御テーブルを基にキー番号個々に異なる輝度データを任意に設定することができる。
【０１６２】
図１５によれば、キー番号１〜１２に対し共通発光色（赤色）が設定され、キー番号１には最大輝度が設定され、キー番号２〜キー番号１２に対しては所定のステップで順次輝度が低下するよう輝度データが設定されている。従って、操作部２の数字キー１〜９、数字キー０、＊キー、＃キーの順にキーバックライトが所定の発光色（共通色、例えば赤色）で輝度が低下して点灯する。
【０１６３】
なお、３色ＬＥＤ４−１〜４−１２に対する共通の発光色はユーザが任意に設定可能であり、またキー番号個々に対する輝度データの設定順序は、ユーザのキー操作順により任意に設定することができる。
【０１６４】
更に、記憶部６には図１６に示す機能対応発光輝度制御テーブル６−６を備え、各機能に対応する有効キー／無効キーの発光色と輝度データが予め記憶されている。この輝度データは、発光輝度制御テーブルを基にユーザが任意に設定することができる。
【０１６５】
なお、操作部２はキーバックライト４の上に重ねて配設され、キー個々に対して照射する。
【０１６６】
次に図１１に図１０を併せて参照してキーバック．ライトの発光色の輝度設定処理について説明する。
【０１６７】
ユーザがキー個々に対し所望するキーバックライト発光色の輝度を設定すべく操作部２の所定のキーを押下して輝度設定モードを選択（図１１のステップＳ３０１）すると、表示部３に図１２に示す色指定メニューを表示する（Ｓ３０２）。
【０１６８】
この色指定メニューは赤、緑、青、紫、黄、白、橙、茶、水色、黄緑、赤紫、青紫の１２色の他に１２色の中から任意の１色を共通色として選択するための「共通」項目が表示される。
【０１６９】
ユーザがカーソルにより表示部３に表示されている「共通」を選択（Ｓ３０３）した後、カーソルを移動して任意の発光色、例えば「赤」を選択（Ｓ３０４）し、所定のキー操作（例えば確定キー押下）を行い、赤色を操作部２の入力キー（数字キー、＊キー、＃キー）に対する共通の発光色（赤）として指定する。なお、入力キー（数字キー、＊キー、＃キー）に対し異なる発光色を指定する場合には「共通」項目を選択せずに所望する発光色を指定する。
【０１７０】
続いて、ユーザが操作部２の入力キー（数字キー、＊キー、＃キー）の任意のキー、例えば数字キー１を押下する（Ｓ３０５）と、制御部１はユーザのキー操作順位を判定するために、カウンタ（図示せず）に「１」を記録する（Ｓ３０６）。
【０１７１】
制御部１はカウンタの計数値を基に操作順位を判定し（Ｓ３０７）、操作順位が「１」でない場合はステップＳ３１０に移行して操作順位を判定し、操作順位「２」である場合はステップＳ３０８へ移行し、操作順位「２」でない場合は同様に操作順位「３」〜「１２」を判定する（Ｓ３１２、Ｓ３１４）。
【０１７２】
ステップＳ３０７における判定結果が操作順位「１」である場合はユーザが押下したキー情報を基にキー番号を判定し（Ｓ３０８）、キー番号１である場合には、発光輝度制御テーブル６−４から発光色、例えば「赤」色の識別符号と、赤色に対応する輝度データの中から「キー押下順位１」の「輝度強度データ１（最大値）」を読み出し、キー番号１に対応して記憶部６のキー対応発光輝度設定メモリ６−５へ記憶する（Ｓ３０９）。
【０１７３】
ステップＳ３０８の判定結果がキー番号１でない場合はキー番号２（数字キー２）であるか否かを判定し（Ｓ３１１）、数字キー２で且つ操作順位が「１」である場合には、発光輝度制御テーブル６−４から発光色、例えば「赤」色の識別符号と、赤色に対応する輝度データの中から「キー押下順位１」の「輝度強度データ１（最大値）」を読み出し、キー番号２に対応して記憶部６のキー対応発光輝度設定メモリ６−５へ記憶する（Ｓ３０９）。
【０１７４】
ステップＳ３１１の判定結果が数字キー２で且つ操作順位が「２」である場合には、発光輝度制御テーブル６−４から発光色、例えば「赤」色の識別符号と、赤色に対応する輝度データの中から「キー押下順位２」の「輝度強度データ２（＜最大値）」を読み出し、キー番号２に対応して記憶部６のキー対応発光輝度設定メモリ６−５へ記憶する（Ｓ３０９）。
【０１７５】
同様に、ステップＳ３１１の判定結果がキー番号２でない場合は、キー番号３（数字キー３）〜キー番号１０（数字キー０）を順次判定し、発光輝度制御テーブル６−４から発光色、例えば「赤」色の識別符号と、赤色に対応する輝度データの中からステップＳ３０７、Ｓ３１０〜Ｓ３１２、Ｓ３１４で判定した操作順位に対応する輝度強度データを読み出し、判定したキー番号に対応して記憶部６のキー対応発光輝度設定メモリ６−５へ記憶する（Ｓ３０９）。
【０１７６】
このように、キーの発光色は任意の色に設定可能であり、またユーザのキー操作順位とそのキー番号に対応して３色ＬＥＤ４−１〜４−１２のキーバックライトに対する発光輝度の強度を任意に設定することができる。なお、図１５に示すキー対応発光輝度設定メモリ６−４には、ユーザがキー番号１（数字キー１）〜キー番号１０（数字キー０）、キー番号１１（＊キー）、キー番号１２（＃キー）の順に操作し場合の輝度データが設定されている。
【０１７７】
この場合、数字キー（１〜９、０）、＊キー、＃キーの順序に輝度が低い赤色の発光色でキーバックライトが点灯することになる。
【０１７８】
次に図１３に図１０を併せて参照しキーバックライトの発光輝度制御処理について説明する。制御部１はイベントが発生すると（図１３のステップＳ４０１）、着信か否かを判定する（Ｓ４０２）。
【０１７９】
ステップＳ４０２の判定結果が着信である場合は、記憶部６に予め登録されているキー対応発光輝度設定メモリ（図１５）から共通発光色（赤）と、すべてのキー（数字キー１〜９，０、＊キー、＃キー）番号に対応する輝度強度データを順次読み出し（Ｓ４０３）、発光輝度制御部８の各キー対応に配設されている発光輝度制御ドライバ８−１〜８−１２へ転送する（Ｓ４０４）。
【０１８０】
制御部１は、発光輝度制御ドライバ８−１〜８−１２への共通発光色と輝度データの転送を監視し、転送終了を検出すると（Ｓ４０５）、すべての発光輝度制御ドライバ８−１〜８−１２に対しキーバックライトの点灯を指示する（Ｓ４０６）。
【０１８１】
発光輝度制御ドライバ８−１〜８−１２は、制御部１からキーバックライトの点灯指示を受けると、すべてのキーを指定された共通発光色（赤）で、且つ輝度強度データに基づきキー個々を異なる輝度でキーバックライトを点灯させる（Ｓ４０７）。これにより、操作部２の各キーは赤色で且つ個々に異なる輝度で照射される。
【０１８２】
制御部１は、ステップＳ４０２における判定結果が着信でない場合は、入力されたキー情報を検出し（Ｓ４０８）、キー情報が所定アプリケーション機能（例えばゲーム）の起動要求か否かを判定する（４０９）。
【０１８３】
ステップＳ４０９の判定結果が所定アプリケーション機能の起動要求でない場合は、発信操作またはメールモードであると認識しステップＳ４０３へ移行し、ステップＳ４０３〜Ｓ４０７の処理を実行する。すなわち、キー対応発光輝度設定メモリ６−４に予め登録されている発光色（共通色）ですべてのキーをキー毎に異なる輝度でキーバックライト点灯する。
【０１８４】
ステップＳ４０９における判定結果が、所定アプリケーション機能の起動要求である場合は、指定された機能、例えばゲームのアプリケーションプログラムを起動する（Ｓ４１０）。ここで所定アプリケーション機能とは、例えば、ゲーム機能、ストップウォッチ機能、電卓機能、目覚まし／アラーム機能、バーコード読み取り機能、カメラ撮像機能等を指す。なお、ここではゲーム機能を実行する場合を例に説明する。
【０１８５】
記憶部６は、図１６に示す機能対応発光輝度制御テーブル６−６を備え、機能毎にその機能操作に必要な（使用する）キーを有効キー、その機能操作に不要な（使用しない）キーを無効キーとして、共通の発光色で異なる輝度でキーバックライトを点灯するために各キー番号に対応して発光輝度制御信号である輝度データが登録されている。
【０１８６】
図１６に示す機能対応発光輝度制御テーブル６−６によれば、機能Ａ、機能Ｂ〜機能Ｎを操作する際に必要な有効キーと操作に不要な無効キーを「１」と「０」の符号により区分し、有効キーと無効キーに異なる輝度データが設定されている。
【０１８７】
機能Ａ（ゲーム機能）の場合、ゲーム操作に必要な有効キーとして、キー番号２（数字キー２）、キー番号４、５、６（数字キー４、５、６）、キー番号８（数字キー８）が設定され、各有効キーに対し赤色が設定され、且つ最大輝度値である輝度データ１が設定されている。
【０１８８】
また無効キーとして、キー番号１（数字キー１）、キー番号３（数字キー３）、キー番号７（数字キー７）、キー番号９〜１２（数字キー０、＊キー、♯キー）が設定され、各無効キーに対し赤色が設定され、且つ最大輝度値の半分の輝度値である輝度データ６が設定されている。なお、無効キーに対する輝度データはユーザが任意に設定することができるが、ここでは最高輝度値の半分の輝度値とした。
【０１８９】
すなわち、有効キーは高輝度の赤色で、無効キーは有効キーより低い輝度の赤色でキーバックライト点灯される。従ってユーザは輝度の相違により有効キーと無効キーを区別することができる。なお、この有効キーと無効キーに対する輝度データ（輝度値）はユーザが任意に設定することができる。
【０１９０】
機能Ｂ、機能Ｎも同様に、それぞれの機能に必要な有効キーと不要な無効キーに対し、任意の発光色と任意の輝度データを予め設定しておくことにより、キーバックライトの輝度により有効キーと無効キーを区別することができる。
【０１９１】
制御部１は、ステップＳ４１０においてゲーム機能のアプリケーションが起動されると、記憶部６に予め登録されている機能対応発光輝度制御テーブル（図１６の機能Ａ）からキー番号、有効／無効キー符号、各キー番号に対応する発光輝度制御信号である輝度データを読み出し（Ｓ４１１）、有効／無効キー符号を基にキー番号１〜１２に対して有効キーか無効キーかを判定する（Ｓ４１２）。
【０１９２】
ステップＳ４１２において有効キーと判定されたキー番号２、４、５、６、８に対応する発光輝度制御部８の発光輝度制御ドライバ８−２、８−４、８−５、８−６、８−８に対し「輝度データ１」を転送する（Ｓ４１３）。
【０１９３】
またステップＳ４１２において無効キーと判定されたキー番号１、３、７、９、１０〜１２に対応する発光輝度制御部８の発光輝度制御ドライバ８−１、８−３、８−７、８−９、８−１０〜８−１２に対し「輝度データ６」を転送する（Ｓ４１４）。
【０１９４】
制御部１は、発光輝度制御ドライバ８−１〜８−１２への輝度データの転送を監視し、輝度データの転送終了を検出すると（Ｓ４１５）、すべての発光輝度制御ドライバ８−１〜８−１２に対しキーバックライトの点灯を指示する（Ｓ４１６）。
【０１９５】
発光輝度制御ドライバ８−１〜８−１２は、制御部１からキーバックライトの点灯指示を受けると、有効キーは高輝度の赤色で、無効キーは低輝度の赤色でバックライトを点灯させる（Ｓ４１７）。
【０１９６】
ステップＳ４０９における機能指定が機能Ｂ、機能Ｎである場合の説明は省略するが、有効キーおよび無効キーを任意の発光色で、且つ任意の輝度でキーバックライトを点灯することができる。
【０１９７】
次に第３の実施の形態について説明する。
第３の実施の形態は、キーバックライトを任意の異なる発光色または任意の同色（共通色）で発光し、且つキー個々に対し異なるタイミング（発光パターン）で制御することにより、ユーザのキー操作を容易にするものである。
【０１９８】
図１７は第３の実施の形態における携帯電話機の主要構成図、図１８は第３の実施の形態におけるキーバックライトの発光色設定処理のフローチャート、図１９は第３の実施の形態における発着信モード、メールモードおよび各種アプリケーション機能起動時のキーバックライトの点灯処理のフローチャート、図２０は第３の実施の形態における発光パターン制御テーブルの構成例を示す図、図２１は第３の実施の形態におけるキー対応発光パターン設定メモリの構成例を示す図、図２２は第３の実施の形態におけるアプリケーション機能対応発光パターン制御テーブルの構成例を示す図である。
【０１９９】
本発明を適用した携帯電話機は、図１７に示すように、キーバックライト４を制御する発光パターン制御部９を備え、発光パターン制御部９はバックライト４の３色ＬＥＤ４−１〜４−１２に対応する発光パターン制御ドライバ９−１〜９−１２で構成されている。なお、発光パターン制御ドライバ９−１〜９−１２以外は第１の実施の形態と同じ構成であるため説明を省略する。
【０２００】
発光パターン制御ドライバ９−１〜９−１２は、バックライト４の３色ＬＥＤ４−１〜４−１２の発光タイミングを個々に制御可能であればよく、その構成を限定するものではないが、ここでは第１の実施の形態と同様なＰＷＭ制御型３色ＬＥＤ多色コントロールドライバを使用するものとする。
【０２０１】
記憶部６には図２０に示す３色ＬＥＤ４−１〜４−１２の発光パターンを制御するための発光パターン制御テーブル６−７を備え、発光パターン制御テーブルには３色ＬＥＤ４−１〜４−１２の発光色として複数（例えば１２色）の発光色それぞれに対応して発光色識別符号と発光タイミングを制御するための発光パターンデータが予め登録されている。各発光色に対応する発光パターンは、キー番号個々に対して異なる発光パターンデータが設定されている。このキー番号に対するする発光パターンデータは、ユーザが任意に設定することができる。
【０２０２】
この発光パターンデータは３色ＬＥＤ４−１〜４−１２個々に対し異なるタイミングを設定するために、所定の期間を例えば数字キー、＊キー、＃キーを認識できる所定のステップで分周比の異なる１２種の発光パターンデータに区分されており、各３色ＬＥＤに対する発光パターンデータの割り付けは、操作部２の各数字キー、＊キー、＃キーのキー操作順に１ステップ毎に異なる分周比が設定される。
【０２０３】
この発光パターンデータは、所定の信号、例えばクロックパルスを分周することにより容易に生成することができる。
【０２０４】
図２０によれば、発光色毎にキー操作順に異なる発光パターンデータが登録されている。この発光パターンデータは、所定の期間における分周比の異なるパルス信号で構成されており、ユーザのキー操作順に分周比の大きなパルス信号から順次分周比の小さなパルス信号が登録されている。
【０２０５】
また、記憶部６には図２１に示すキー対応発光パターン設定メモリ６−８を備え、ユーザは発光パターン制御テーブル６−７を基にキー番号個々に異なる発光色または共通の発光色で且つ異なる発光パターンデータを任意に設定することができる。
【０２０６】
図２１によれば、キー番号１〜１２に対し共通発光色（赤色）が設定され、キー番号１には発光パターンデータ１が設定され、キー番号２〜キー番号１２に対してはそれぞれ発光タイミングが異なる発光パターンデータ２〜１２が設定されている。従って、操作部２の数字キー１〜９、数字キー０、＊キー、＃キーの順にキーバックライトが所定の発光色（共通色、例えば赤色）で異なる発光タイミング（周期）で点／滅灯する。
【０２０７】
なお、３色ＬＥＤ４−１〜４−１２に対する共通の発光色はユーザが任意に設定可能であり、またキー番号個々に対する発光パターンデータの設定順序は、ユーザのキー操作順により任意に設定することができる。
【０２０８】
更に、記憶部６には図２２に示す機能対応発光パターン制御テーブル６−９を備え、各アプリケーション機能に対応する有効キー／無効キーの発光色と発光パターンデータが予め記憶されている。この発光パターンデータは、発光パターン制御テーブルを基にユーザが任意に設定できる。
【０２０９】
なお、操作部２はキーバックライト４の上に重ねて配設され、キー個々に対して照射する。
【０２１０】
次に図１８に図１７を併せて参照してキーバックライトの発光色の発光パターン設定処理について説明する。
【０２１１】
ユーザがキー個々に対し所望するキーバックライト発光色の発光パターンを設定すべく操作部２の所定のキーを押下して発光パターン設定モードを選択（図１８のステップＳ５０１）すると、表示部３に図１２に示す色指定メニューを表示する（Ｓ５０２）。
【０２１２】
この色指定メニューは赤、緑、青、紫、黄、白、橙、茶、水色、黄緑、赤紫、青紫の１２色の他に１２色の中から任意の１色を共通色として選択するための「共通」項目が表示される。
【０２１３】
ユーザがカーソルにより表示部３に表示されている「共通」を選択（Ｓ５０３）した後、カーソルを移動して任意の発光色、例えば「赤」を選択（Ｓ５０４）し、所定のキー操作（例えば確定キー押下）を行い、赤色を操作部２の入力キー（数字キー、＊キー、＃キー）に対する共通の発光色（赤）として指定する。なお、各キーに対し異なる発光色を指定する場合は、「共通」項目を選択せずに所望する発光色を設定することができる。
【０２１４】
続いて、ユーザが操作部２の入力キー（数字キー、＊キー、＃キー）の任意のキー、例えば数字キー１を押下する（Ｓ５０５）と、制御部１はユーザのキー操作順位を判定するために、カウンタ（図示せず）に「１」を記録する（Ｓ５０６）。
【０２１５】
制御部１はカウンタの計数値を基に操作順位を判定し（Ｓ５０７）、操作順位が「１」でない場合はステップＳ５１０に移行して操作順位を判定し、操作順位「２」である場合はステップＳ５０８へ移行し、操作順位「２」でない場合は同様に操作順位「３」〜「１２」を判定する（Ｓ５１２、Ｓ５１４）。
【０２１６】
ステップＳ５０７における判定結果が操作順位「１」である場合はユーザが押下したキー情報を基にキー番号を判定し（Ｓ５０８）、キー番号１である場合には、発光パターン制御テーブル６−７から発光色、例えば「赤」色の識別符号と、赤色に対応する発光パターンデータの中から「キー押下順位１」の「発光パターンデータ１」を読み出し、キー番号１に対応して記憶部６のキー対応発光パターン設定メモリ６−８へ記憶する（Ｓ５０９）。
【０２１７】
ステップＳ５０８の判定結果がキー番号１でない場合はキー番号２（数字キー２）であるか否かを判定し（Ｓ５１１）、数字キー２で且つ操作順位が「１」である場合には、発光パターン制御テーブル６−７から発光色、例えば「赤」色の識別符号と、赤色に対応する発光パターンデータの中から「キー押下順位１」の「発光パターンデータ１」を読み出し、キー番号２に対応して記憶部６のキー対応発光パターン設定メモリ６−８へ記憶する（Ｓ５０９）。
【０２１８】
ステップＳ５１１の判定結果が数字キー２で且つ操作順位が「２」である場合には、発光パターン制御テーブル６−７から発光色、例えば「赤」色の識別符号と、赤色に対応する発光パターンデータの中から「キー押下順位２」の発光パターンデータ２」を読み出し、キー番号２に対応して記憶部６のキー対応発光パターン設定メモリ６−８へ記憶する（Ｓ５０９）。
【０２１９】
同様に、ステップＳ５１１の判定結果がキー番号２でない場合は、キー番号３（数字キー３）〜キー番号１０（数字キー０）を順次判定し、発光パターン制御テーブル６−７から発光色、例えば「赤」色の識別符号と、赤色に対応する発光パターンデータの中からステップＳ５０７、Ｓ５１０〜Ｓ５１２、Ｓ５１４で判定した操作順位に対応する発光パターンデータを読み出し、判定したキー番号に対応して記憶部６のキー対応発光輝度設定メモリ６−８へ記憶する（Ｓ５０９）。
【０２２０】
このように、キーの発光色は任意の色に設定可能であり、またユーザのキー操作順位とそのキー番号に対応して３色ＬＥＤ４−１〜４−１２のキーバックライトに対する発光パターンデータを任意に設定することができる。なお、図２１に示すキー対応発光パターン設定メモリ６−８には、ユーザがキー番号１（数字キー１）〜キー番号１０（数字キー０）、キー番号１１（＊キー）、キー番号１２（＃キー）の順に操作し場合の発光パターンデータ１（周期比大）から１２（周期比小）が設定されている。
【０２２１】
この場合、数字キー（１〜９、０）、＊キー、＃キーの順序で短い周期で赤色の発光色でキーバックライトが点／滅灯することになる。すなわち、数字キー（１〜９、０）、＊キー、＃キーの順に点滅周期が早くなる。なお、これとは逆に点滅周期を長くすることも可能である。
【０２２２】
次に図１９に図１７を併せて参照しキーバックライトの発光パターン制御処理について説明する。
【０２２３】
制御部１はイベントが発生すると（図１９のステップＳ６０１）、着信か否かを判定し（Ｓ６０２）、判定結果が着信である場合は、記憶部６に予め登録されているキー対応発光パターン設定メモリ（図２１）から共通発光色（赤）と、すべてのキー（数字キー１〜９，０、＊キー、＃キー）番号に対応する発光パターンデータを順次読み出し（Ｓ６０３）、発光パターン制御部９の各キー対応に配設されている発光パターン制御ドライバ９−１〜９−１２へ転送する（Ｓ６０４）。
【０２２４】
制御部１は、発光パターン制御ドライバ９−１〜９−１２への共通発光色と発光パターンデータの転送を監視し、転送終了を検出すると（Ｓ６０５）、すべての発光パターン制御ドライバ９−１〜９−１２に対しキーバックライトの点灯を指示する（Ｓ６０６）。
【０２２５】
発光パターン制御ドライバ９−１〜９−１２は、制御部１からキーバックライトの点灯指示を受けると、すべてのキーを指定された共通発光色（赤）で、且つキー個々を異なる発光パターンでキーバックライトを点灯させる（Ｓ６０７）。これにより、操作部２の各キーは赤色で且つ個々に異なる周期で照射される。
【０２２６】
制御部１は、ステップＳ６０２における判定結果が着信でない場合は、入力されたキー情報を検出し（Ｓ６０８）、キー情報が所定アプリケーション機能（例えばゲーム）の起動要求か否かを判定する（６０９）。
【０２２７】
ステップＳ６０９の判定結果が所定のアプリケーション機能の起動要求でない場合は、発信操作またはメールモードであると認識しステップＳ６０３へ移行し、ステップＳ６０３〜Ｓ６０７の処理を実行する。すなわち、キー対応発光パターン設定メモリ６−８に予め登録されている発光色（共通色）ですべてのキーをキー毎に異なる周期でキーバックライト点／滅灯する。
【０２２８】
ステップＳ６０９における判定結果が、所定アプリケーション機能の起動要求である場合は、指定された機能、例えばゲームのアプリケーションプログラムを起動する（Ｓ６１０）。ここで所定機能とは、例えば、ゲーム機能、ストップウォッチ機能、電卓機能、目覚まし／アラーム機能、バーコード読み取り機能、カメラ撮像機能等を指す。なお、ここではゲーム機能を実行する場合を例に説明する。
【０２２９】
記憶部６は、図２２に示す機能対応発光パターン制御テーブル６−９を備え、機能毎にその機能操作に必要な（使用する）キーを有効キー、その機能操作に不要な（使用しない）キーを無効キーとして、共通の発光色で異なる周期でキーバックライトを点灯するために各キー番号に対応して発光パターン制御信号である発光パターンデータが登録されている。
【０２３０】
図２２に示す機能対応発光パターン制御テーブル６−９によれば、機能Ａ、機能Ｂ〜機能Ｎを操作する際に必要な有効キーと操作に不要な無効キーを「１」と「０」の符号により区分し、有効キーと無効キーに異なる発光パターンデータが設定されている。
【０２３１】
機能Ａ（ゲーム機能）の場合、ゲーム操作に必要な有効キーとして、キー番号２（数字キー２）、キー番号４、５、６（数字キー４、５、６）、キー番号８（数字キー８）が設定され、各有効キーに対し赤色が設定され、且つ周期が最大の発光パターンデータ１が設定されている。
【０２３２】
また無効キーとして、キー番号１（数字キー１）、キー番号３（数字キー３）、キー番号７（数字キー７）、キー番号９〜１２（数字キー０、＊キー、♯キー）が設定され、各無効キーに対し赤色が設定され、且つ最大周期の半分の周期である発光パターンデータ６が設定されている。
【０２３３】
すなわち、有効キーは長い周期の赤色で、無効キーは有効キーより低い周期の赤色でキーバックライト点／滅灯される。従ってユーザは点滅の相違により有効キーと無効キーを区別することができる。なお、この有効キーと無効キーに対する発光パターンデータ（点滅周期）はユーザが任意に設定することができる。
【０２３４】
機能Ｂ、機能Ｎも同様に、それぞれの機能に必要な有効キーと不要な無効キーに対し、任意の発光色と任意の発光パターンデータを予め設定しておくことにより、キーバックライトの点滅周期により有効キーと無効キーを区別することができる。
【０２３５】
制御部１は、ステップＳ６１０においてゲーム機能のアプリケーションが起動されると、記憶部６に予め登録されている機能対応発光パターン制御テーブル（図２２の機能Ａ）からキー番号、有効／無効符号と各キー番号に対応する発光パターン制御信号である輝発光パターンデータを読み出し（Ｓ６１１）、有効／無効キー符号を基にキー番号１〜１２に対して有効キーか無効キーかを判定する（Ｓ６１２）。
【０２３６】
ステップＳ６１２において有効キーと判定されたキー番号２、４、５、６、８に対応する発光パターン制御部９の発光パターン制御ドライバ９−２、９−４、９−５、９−６、９−８に対し赤色の識別符号と「発光パターンデータ１」を転送する（Ｓ６１３）。
【０２３７】
またステップＳ６１２において無効キーと判定されたキー番号１、３、７、９、１０〜１２に対応する発光パターン制御部９の発光パターン制御ドライバ９−１、９−３、９−７、９−９、９−１０〜９−１２に対し赤色の識別符号と「発光パターンデータ６」を転送する（Ｓ６１４）。
【０２３８】
制御部１は、発光パターン制御ドライバ９−１〜９−１２への発光パターンデータの転送を監視し、転送が終了を検出すると（Ｓ６１５）、すべての発光パターン制御ドライバ９−１〜９−１２に対しキーバックライトの点灯を指示する（Ｓ６１６）。
【０２３９】
発光パターン制御ドライバ９−１〜９−１２は、制御部１からキーバックライトの点灯指示を受けると、有効キーは周期の長い赤色で、無効キーは周期の短い赤色でバックライトを点／滅灯させる（Ｓ６１７）。
【０２４０】
ステップＳ６０９における機能指定が機能Ｂ、機能Ｎである場合の説明は省略するが、有効キーおよび無効キーを任意の発光色で、且つ任意の点滅周期でキーバックライトを点／滅灯することができる。
【０２４１】
なお、上記第１〜第３に実施の形態においては携帯電話機を例に説明したが、本発明は携帯電話機に限定するものではなく、キー操作部を有する電子機器に適用可能であることは言うまでもない。
【図面の簡単な説明】
【０２４２】
【図１】第１の実施の形態における携帯電話機の主要構成図である。
【図２】第１の実施の形態におけるキーバックライトの発光色設定処理のフローチャートである。
【図３】第１の実施の形態におけるキーバックライトの発光色設定のための色指定メニューの表示例を示す図である。
【図４】第１の実施の形態における発着信モード、メールモードおよび各種アプリケーション機能起動時のキーバックライトの点灯処理のフローチャートである。
【図５】第１の実施の形態における発着信モード、メールモード時のキーバックライトの点灯例を示す図である。
【図６】第１の実施の形態におけるアプリケーション機能起動時のキーバックライトの有効／無効キーの点灯例を示す図である。
【図７】第１の実施の形態における発光色制御テーブルの構成例を示す図である。
【図８】第１の実施の形態におけるキー対応発光色設定メモリの構成例を示す図である。
【図９】第１の実施の形態におけるアプリケーション機能対応発光色制御テーブルの構成例を示す図である。
【図１０】第２の実施の形態における携帯電話機の主要構成図である。
【図１１】第２の実施の形態におけるキーバックライトの発光色設定処理のフローチャートである。
【図１２】第２の実施の形態におけるキーバックライトの発光色設定のための色指定メニューの表示例を示す図である。
【図１３】第２の実施の形態における発着信モード、メールモードおよび各種アプリケーション機能起動時のキーバックライトの点灯処理のフローチャートである。
【図１４】第２の実施の形態における発光輝度制御テーブルの構成例を示す図である。
【図１５】第２の実施の形態におけるキー対応発光輝度設定メモリの構成例を示す図である。
【図１６】第２の実施の形態におけるアプリケーション機能対応発光輝度制御テーブルの構成例を示す図である。
【図１７】第３の実施の形態における携帯電話機の主要構成図である。
【図１８】第３の実施の形態におけるキーバックライトの発光色設定処理のフローチャートである。
【図１９】第３の実施の形態における発着信モード、メールモードおよび各種アプリケーション機能起動時のキーバックライトの点灯処理のフローチャートである。
【図２０】第３の実施の形態における発光パターン制御テーブルの構成例を示す図である。
【図２１】第３の実施の形態におけるキー対応発光パターン設定メモリの構成例を示す図である。
【図２２】第３の実施の形態におけるアプリケーション機能対応発光パターン制御テーブルの構成例を示す図である。
【符号の説明】
【０２４３】
１    制御部
２    操作部
３    表示部
４    キーバックライト
４−１〜４−１２    ３色ＬＥＤ
５    色彩制御部
５−１〜５−１２    色彩制御ドライバ
６    記憶部
６−１    発光色制御テーブル
６−２    キー対応発光色設定メモリ
６−３    機能対応発光色制御テーブル
６−４    発光輝度制御テーブル
６−５    キー対応発光輝度設定メモリ
６−６    機能対応発光輝度制御テーブル
６−７    発光パターン制御テーブル
６−８    キー対応発光パターン設定メモリ
６−９    機能対応発光パターン制御テーブル
７    無線部
８    発光輝度制御部
８−１〜８−１２    発光輝度制御ドライバ
９    発光パターン制御部
９−１〜９−１２    発光パターン制御ドライバ
【図１】
2005134998.tif 000003
【図２】
2005134998.tif 000004
【図３】
2005134998.tif 000005
【図４】
2005134998.tif 000006
【図５】
2005134998.tif 000007
【図６】
2005134998.tif 000008
【図７】
2005134998.tif 000009
【図８】
2005134998.tif 000010
【図９】
2005134998.tif 000011
【図１０】
2005134998.tif 000012
【図１１】
2005134998.tif 000013
【図１２】
2005134998.tif 000014
【図１３】
2005134998.tif 000015
【図１４】
2005134998.tif 000016
【図１５】
2005134998.tif 000017
【図１６】
2005134998.tif 000018
【図１７】
2005134998.tif 000019
【図１８】
2005134998.tif 000020
【図１９】
2005134998.tif 000021
【図２０】
2005134998.tif 000022
【図２１】
2005134998.tif 000023
【図２２】
2005134998.tif 000024